(57)【要約】  本願の実施形態は、メインシャフト、接続片、およびロックキャップを含む光ファイバコネクタを開示する。メインシャフトは、ヘッドエンドと、ヘッドエンドから離れたテールエンドと、を含む。メインシャフトには、ヘッドエンドからテールエンドまで延在する貫通孔が配置される。接続片は、ヘッドエンドに固定接続され、貫通孔に部分的に収容される。ロックキャップは、封止部分と、封止部分の側面に接続された接続部分と、を含む。封止部分は、ヘッドエンドの外側に回転可能に接続される。接続部分は、ヘッドエンドの、テールエンドから離れた側面にある。接続部分は、接続片がアダプタに挿入されたときにアダプタを部分的に収容するように構成される。ロック突起が接続部分の内側に配置されている。ロックキャップがアダプタに対して第1の角度だけ回転すると、ロック突起がアダプタのロックスロットにスナップ嵌合されるように構成される。第1の角度は90°以下である。前述の光ファイバコネクタの設置は簡素で時間を節約できる。本願の実施形態は、予め製造された光ファイバ、アダプタ、ファイバ終端ボックス、および光ファイバ接続アセンブリをさらに開示する。
2021512345.tif 000002
【特許請求の範囲】
【請求項１】
メインシャフト、接続片、およびロックキャップを含む光ファイバコネクタであって、前記メインシャフトは、ヘッドエンドと、前記ヘッドエンドから離れたテールエンドと、を含み、前記ヘッドエンドから前記テールエンドまで延在する貫通孔が前記メインシャフトに配置され、前記接続片は、前記ヘッドエンドに固定接続されかつ前記貫通孔に部分的に収容され、前記ロックキャップは、封止部分と、前記封止部分の側面に接続された接続部分と、を含み、前記封止部分は、前記ヘッドエンドの外側に回転可能に接続され、前記接続部分は、前記ヘッドエンドの、前記テールエンドから離れた側面に位置し、前記接続部分は、前記接続片がアダプタに挿入されたときに、前記アダプタを部分的に収容するように構成され、ロック突起が前記接続部分の内側に配置され、前記ロックキャップが前記アダプタに対して第１の角度だけ回転すると、前記ロック突起が前記アダプタのロックスロットにスナップ嵌合されるように構成され、前記第１の角度は９０°以下である、光ファイバコネクタ。
【請求項２】
前記メインシャフトは、前記ヘッドエンドと前記テールエンドとの間に位置する移行部をさらに含み、前記テールエンドに面する第１の制限面が前記移行部に配置され、前記ロックキャップは、前記封止部分の、前記接続部分から離れている側面に接続された制限部分をさらに含み、前記封止部分に面する第２の制限面が前記制限部分に配置され、前記光ファイバコネクタは、弾性部品をさらに含み、前記弾性部品は、前記移行部と前記封止部分との間に位置し、前記弾性部品の２つの端部は、それぞれ前記第１の制限面および前記第２の制限面に当接する、請求項１に記載の光ファイバコネクタ。
【請求項３】
前記接続片は、接続ベースと、１つ以上の接続端子と、を含み、前記接続ベースの一端が前記貫通孔に挿入され、前記１つ以上の接続端子が前記接続ベースの他端に締結される、請求項１または２に記載の光ファイバコネクタ。
【請求項４】
前記接続端子は、保護ハウジングと、前記保護ハウジングに取り付けられたフェルールと、を含み、前記保護ハウジングの、前記接続ベースから離れた上端面は、前記フェルールの、前記接続ベースから離れた上端面に対して突出している、請求項３に記載の光ファイバコネクタ。
【請求項５】
前記接続ベースは、締結部分と、前記締結部分の側面に位置する１つ以上の取り付け部分と、を含み、前記１つ以上の取り付け部分は、１対１の対応方法で前記１つ以上の接続端子内に部分的に挿入され、前記締結部分と前記１つ以上の取り付け部分とは一体に形成される、請求項３に記載の光ファイバコネクタ。
【請求項６】
前記接続端子は、保護ハウジングと、前記保護ハウジングに取り付けられたフェルールと、を含み、制限孔が前記保護ハウジングに配置され、制限突起が前記取り付け部分に配置され、前記取り付け部分は対応する前記保護ハウジング内に部分的に挿入され、前記制限突起は前記制限孔において部分的または完全にクランプされる、請求項５に記載の光ファイバコネクタ。
【請求項７】
前記保護ハウジングの内面は、前記締結部分に面する第１の位置決め面を含み、前記フェルールの外側側壁は、前記締結部分とは反対側に向いた第２の位置決め面を含み、前記接続片は、弾性接続部品をさらに含み、前記弾性接続部品は、前記フェルールと前記取り付け部分との間で圧縮され、前記弾性接続部品の弾性力が、前記第２の位置決め面を前記第１の位置決め面にしっかりと押圧する、請求項６に記載の光ファイバコネクタ。
【請求項８】
前記封止部分の外径は、前記接続部分の外径よりも小さい、請求項１から７のいずれか一項に記載の光ファイバコネクタ。
【請求項９】
前記光ファイバコネクタは、第１の封止リングをさらに含み、前記第１の封止リングは、前記接続部分に位置し、前記第１の封止リングは、前記接続部分と前記アダプタとの間で圧縮されるように構成される、請求項１から８のいずれか一項に記載の光ファイバコネクタ。
【請求項１０】
前記貫通孔を包む封止溝が前記メインシャフトの外周側に配置され、前記光ファイバコネクタは、第２の封止リングをさらに含み、前記第２の封止リングは、前記封止溝の溝壁と前記封止部分の内側面との間で圧縮される、請求項１から９のいずれか一項に記載の光ファイバコネクタ。
【請求項１１】
前記光ファイバコネクタは封止スリーブをさらに含み、前記封止スリーブの一端は、封止方法で前記テールエンドの外側にスリーブが付けられ、前記封止スリーブの他端は、光ケーブルの挿入を可能にし、かつ封止方法で前記光ケーブルに接続されるように構成される、請求項１から１０のいずれか一項に記載の光ファイバコネクタ。
【請求項１２】
前記テールエンドは、前記ヘッドエンドに近接するゴム部分と、前記ヘッドエンドから離れた金属部分と、を含み、前記金属部分は部分的に前記ゴム部分内に位置し、前記ゴム部分に固定接続され、前記封止スリーブは、前記金属部分の一部および前記ゴム部分の一部に封止方法で接続される、請求項１１に記載の光ファイバコネクタ。
【請求項１３】
前記光ファイバコネクタは金属圧着リングをさらに含み、前記金属圧着リングは前記封止スリーブに位置し、前記金属圧着リングの一端は、前記金属部分の外側にスリーブが付けられ、前記金属圧着リングの他端は、前記光ケーブルの外側にスリーブが付けられるように構成され、前記金属圧着リングの前記端部は、前記光ケーブルのアラミド糸を前記金属部分にしっかりと押圧することができる、請求項１２に記載の光ファイバコネクタ。
【請求項１４】
前記光ファイバコネクタは、ダストキャップおよびランヤードをさらに含み、前記ランヤードの一端は、前記メインシャフトの外側にスリーブが付けられ、前記ランヤードの他端は、前記ダストキャップに接続され、前記ダストキャップの端部には防塵ロックスロットが配置され、前記ダストキャップの前記端部は、前記接続部分内へと延長することができ、前記防塵ロックスロットは、前記ロック突起にスナップ嵌合されている、請求項１から１３のいずれか一項に記載の光ファイバコネクタ。
【請求項１５】
光ケーブルと、請求項１から１４のいずれか一項に記載の光ファイバコネクタと、を含み、前記光ケーブルは前記貫通孔内に延在し、前記接続片に接続される、予め製造された光ファイバ。
【請求項１６】
アダプタ本体を含み、前記アダプタ本体は、入力端と、前記入力端から離れた出力端と、を含み、前記入力端から前記出力端まで延在する貫入孔が前記アダプタ本体に配置され、前記貫入孔は、前記入力端が光ファイバコネクタのロックキャップ内に挿入されたときに、前記光ファイバコネクタの接続片の一部を収容するように構成され、ロックスロットが前記入力端の外側側壁に配置され、前記ロックスロットは、前記入力端の円周方向に第２の角度で延在し、前記第２の角度は９０°以下であり、前記ロックスロットは、前記ロックキャップの内側にロック突起を収容し、前記ロック突起にスナップ嵌合されるように構成される、アダプタ。
【請求項１７】
前記アダプタは、保護キャップおよび接続ランヤードをさらに含み、前記接続ランヤードの一端は、前記アダプタ本体の外側にスリーブが付けられ、前記接続ランヤードの他端は前記保護キャップに接続され、保護ロック突起が前記保護キャップの端部の内側に配置され、前記保護キャップの前記端部は、前記入力端の前記外側側壁にスリーブが付けられることができ、前記保護ロック突起は、前記ロックスロットにスナップ嵌合されている、請求項１６に記載のアダプタ。
【請求項１８】
ボックス本体と、請求項１６または１７に記載のアダプタと、を含み、前記アダプタが前記ボックス本体に取り付けられている、ファイバ終端ボックス。
【請求項１９】
光ファイバコネクタおよびアダプタを含んだ光ファイバ接続アセンブリであって、
前記光ファイバコネクタは、メインシャフト、接続片、およびロックキャップを含み、前記メインシャフトは、ヘッドエンドと、前記ヘッドエンドから離れたテールエンドと、を含み、前記メインシャフトには、前記ヘッドエンドから前記テールエンドまで延在する貫通孔が配置され、前記接続片は、前記ヘッドエンドに固定接続され、かつ前記貫通孔に部分的に収容され、前記ロックキャップは、封止部分と、前記封止部分の側面に接続された接続部分と、を含み、前記封止部分は、前記ヘッドエンドの外側に回転可能に接続され、前記接続部分は、前記ヘッドエンドの、前記テールエンドから離れた側面に位置し、ロック突起が前記接続部分の内側に配置され、
前記アダプタの本体は、入力端と、前記入力端から離れた出力端と、を含み、前記入力端から前記出力端まで延在する貫入孔が前記アダプタ本体に配置され、ロックスロットが前記入力端の外側側壁に配置され、前記ロックスロットは、前記入力端の円周方向に第２の角度で延在し、前記第２の角度は９０°以下であり、
前記接続片が前記貫入孔内に部分的に挿入されると、前記接続部分が前記入力端の一部を収容し、かつ前記ロック突起が前記ロックスロット内に位置し、前記ロックキャップが前記アダプタ本体に対して第１の角度だけ回転すると、前記ロック突起が前記ロックスロットにスナップ嵌合され、前記第１の角度は前記第２の角度以下である、光ファイバ接続アセンブリ。
【請求項２０】
前記メインシャフトは、前記ヘッドエンドと前記テールエンドとの間に位置する移行部をさらに含み、前記テールエンドに面する第１の制限面が前記移行部に配置され、前記ロックキャップは、前記封止部分の、前記接続部分から離れている側面に接続された制限部分をさらに含み、前記封止部分に面する第２の制限面が前記制限部分に配置され、前記光ファイバコネクタは、弾性部品をさらに含み、前記弾性部品は、前記移行部と前記封止部分との間に位置し、前記弾性部品の２つの端部は、それぞれ前記第１の制限面および前記第２の制限面に当接する、請求項１９に記載の光ファイバ接続アセンブリ。
【請求項２１】
前記接続片は、接続ベースと、１つ以上の接続端子と、を含み、前記接続ベースの一端が前記貫通孔に挿入され、前記１つ以上の接続端子の一端が前記接続ベースの他端に締結され、前記１つ以上の接続端子の他端が前記貫入孔内に挿入される、請求項１９または２０に記載の光ファイバ接続アセンブリ。
【請求項２２】
前記接続端子は、保護ハウジングと、前記保護ハウジングに取り付けられたフェルールと、を含み、前記保護ハウジングの、前記接続ベースから離れた上端面は、前記フェルールの、前記接続ベースから離れた上端面に対して突出している、請求項２１に記載の光ファイバ接続アセンブリ。
【請求項２３】
前記接続ベースは、締結部分と、前記締結部分の側面に位置する１つ以上の取り付け部分と、を含み、前記１つ以上の取り付け部分は、１対１の対応方法で前記１つ以上の接続端子に部分的に挿入され、前記締結部分と前記１つ以上の取り付け部分とは一体に形成される、請求項２１に記載の光ファイバ接続アセンブリ。
【請求項２４】
前記接続端子は、保護ハウジングと、前記保護ハウジングに取り付けられたフェルールと、を含み、制限孔が前記保護ハウジングに配置され、制限突起が前記取り付け部分に配置され、前記取り付け部分は、対応する前記保護ハウジング内に部分的に挿入され、前記制限突起は、前記制限孔に部分的または完全にクランプされる、請求項２３に記載の光ファイバ接続アセンブリ。
【請求項２５】
前記保護ハウジングの内面は、前記締結部分に面する第１の位置決め面を含み、前記フェルールの外側側壁は、前記締結部分とは反対側に向いた第２の位置決め面を含み、前記接続片は、弾性接続部品をさらに含み、前記弾性接続部品は、前記フェルールと前記取り付け部分との間で圧縮され、前記弾性接続部品の弾性力が前記第２の位置決め面を前記第１の位置決め面にしっかりと押圧する、請求項２４に記載の光ファイバ接続アセンブリ。
【請求項２６】
前記封止部分の外径は、前記接続部分の外径よりも小さい、請求項１９から２５のいずれか一項に記載の光ファイバ接続アセンブリ。
【請求項２７】
前記光ファイバコネクタは、第１の封止リングをさらに含み、前記第１の封止リングは、前記接続部分に位置し、前記第１の封止リングは、前記接続部分と前記アダプタとの間で圧縮される、請求項１９から２６のいずれか一項に記載の光ファイバ接続アセンブリ。
【請求項２８】
前記貫通孔を包む封止溝が前記メインシャフトの外周側に配置され、前記光ファイバコネクタは第２の封止リングをさらに含み、前記第２の封止リングは、前記封止溝の溝壁と前記封止部分の内側面との間で圧縮される、請求項１９から２７のいずれか一項に記載の光ファイバ接続アセンブリ。
【請求項２９】
前記光ファイバコネクタは封止スリーブをさらに含み、前記封止スリーブの一端は、封止方法で前記テールエンドの外側にスリーブが付けられ、前記封止スリーブの他端は、光ケーブルの挿入を可能にし、かつ封止方法で前記光ケーブルに接続されるように構成される、請求項19から28のいずれか一項に記載の光ファイバ接続アセンブリ。
【請求項３０】
前記テールエンドは、前記ヘッドエンドに近接するゴム部分と、前記ヘッドエンドから離れた金属部分と、を含み、前記金属部分は部分的に前記ゴム部分内に位置し、かつ前記ゴム部分に固定接続され、前記封止スリーブは、前記金属部分の一部および前記ゴム部分の一部に封止方法で接続される、請求項２９に記載の光ファイバ接続アセンブリ。
【請求項３１】
前記光ファイバコネクタは金属圧着リングをさらに含み、前記金属圧着リングは前記封止スリーブに位置し、前記金属圧着リングの一端は、前記金属部分の外側にスリーブが付けられ、前記金属圧着リングの他端は、前記光ケーブルの外側にスリーブが付けられるように構成され、前記金属圧着リングの前記端部は、前記光ケーブルのアラミド糸を前記金属部分にしっかりと押圧することができる、請求項３０に記載の光ファイバ接続アセンブリ。
【発明の詳細な説明】
【技術分野】
【０００１】
本願は、光ファイバコネクタ、予め製造された光ファイバ、アダプタ、ファイバ終端ボックス、および光ファイバ接続アセンブリに関する。
【背景技術】
【０００２】
家庭へのファイバ（fiber to the home、FTTH）ネットワークのドロップケーブルレイアウト（drop cable layout）中の操作を簡素化するために、業界関係者は光ファイバ事前接続製品を使用して、ドロップケーブルをファイバ分配ボックスおよび顧客端末ボックスに接続する。光ファイバ事前接続製品のドロップケーブルの両端には、予め製造された光ファイバコネクタが設けられており、ファイバ分配ボックスと顧客端末ボックスにも、対応する予め製造されたファイバアダプタが設けられている。ドロップケーブルのレイアウト中に、ドロップケーブルの両端の光ファイバコネクタを、顧客端末ボックスとファイバ分配ボックスの対応するファイバアダプタとのそれぞれに挿入することだけでよい。
【０００３】
従来の光ファイバコネクタおよび従来のファイバアダプタは、光ファイバコネクタとファイバアダプタとの間にねじ付き接続構造を使用することにより互いにロックされている。そのような接続方法は、光ファイバコネクタがロックおよび取り外し中に複数の回転のために回転することを必要とし、操作が複雑である。加えて、従来の光ファイバコネクタおよび従来のファイバアダプタは、手動操作によって適切にまたは確実にロックされず、光ファイバコネクタとファイバアダプタとの間の接続の信頼性が低下する場合がある。
【発明の概要】
【０００４】
本願の実施形態は、光ファイバコネクタ、光ファイバコネクタが適用される予め製造された光ファイバ、アダプタ、アダプタが適用されるファイバ終端ボックス、および光ファイバ接続アセンブリを提供する。光ファイバ接続アセンブリの光ファイバコネクタとアダプタは、簡単に組み立ておよび分解でき、光ファイバコネクタとアダプタとの間の接続は非常に信頼性がある。
【課題を解決するための手段】
【０００５】
第１の態様によれば、本願の一実施形態は、メインシャフト、接続片、およびロックキャップを含む光ファイバコネクタを提供する。メインシャフトは、ヘッドエンドと、ヘッドエンドから離れたテールエンドと、を含む。メインシャフトには、ヘッドエンドからテールエンドまで延在する貫通孔が配置される。接続片はヘッドエンドに固定接続され、貫通孔に部分的に収容される。ロックキャップは、封止部分と、封止部分の側面に接続された接続部分と、を含む。封止部分は、ヘッドエンドの外側に回転可能に接続される。接続部分は、ヘッドエンドの、テールエンドから離れた側面にある。接続部分は、接続片がアダプタに挿入されたときにアダプタを部分的に収容するように構成される。ロック突起が接続部分の内側に配置されている。ロックキャップがアダプタに対して第１の角度だけ回転すると、ロック突起がアダプタのロックスロットにスナップ嵌合されるように構成される。第１の角度は９０°以下である。
【０００６】
この実施形態では、ロック突起は光ファイバコネクタのロックキャップに配置され、ロック突起とロックスロットが互いに対して回転した後に、ロック突起とロックスロットは互いにスナップ嵌合され得る。したがって、光ファイバコネクタは、対応するアダプタに回転式スナップ嵌合ロック方式で接続され得る。光ファイバサブアセンブリとアダプタの組み立てと分解は簡単で時間を節約でき、接続された光ファイバコネクタとアダプタは非常に安定して安全であり、光ファイバコネクタとアダプタとの間の信号伝送プロセスは信頼できる。
【０００７】
任意の実施形態では、メインシャフトは、ヘッドエンドとテールエンドとの間に位置する移行部をさらに含む。テールエンドに面する第１の制限面が、移行部に配置される。ロックキャップは、封止部分の、接続部分から離れている側面に接続された制限部分をさらに含む。封止部分に面する第２の制限面が、制限部分に配置される。光ファイバコネクタは、弾性部品をさらに含む。弾性部品は、移行部と封止部分との間にあり、弾性部品の２つの端部は、それぞれ第１の制限面および第２の制限面に当接する。
【０００８】
この実施形態では、弾性部品は、第１の制限面と第２の制限面とが互いに離れる傾向があり、ロックキャップがメインシャフトのテールエンドに向かって移動する傾向があるように配置される。したがって、ロックキャップをアダプタに接続すると、ロック突起がアダプタのロックスロットに安定してスナップ嵌合され、接続片とアダプタが互いに締結され、光ファイバコネクタとアダプタとの間の接続関係は信頼性が高いため、優れた耐衝撃性とゆるみ防止効果を達成することができる。
【０００９】
任意の実施形態では、接続片は接続ベースと、１つ以上の接続端子と、を含む。接続ベースの一端が貫通孔に挿入される。１つ以上の接続端子は、接続ベースの他端に締結されている。
【００１０】
この実施形態では、１つ以上の接続端子を接続ベースに一緒に取り付けることができるので、光ファイバコネクタは、様々な要件を有するより多くの種類の予め製造された光ファイバに適用でき、光ファイバコネクタの適用性は比較的良好である。複数の接続端子が接続ベースに一緒に取り付けられる場合、光ファイバコネクタのポート密度は比較的高い。
【００１１】
任意の実施形態では、接続端子は、保護ハウジングと、保護ハウジングに取り付けられたフェルールと、を含む。保護ハウジングの、接続ベースから離れた上端面は、フェルールの、接続ベースから離れた上端面に対して突起している。この場合、保護ハウジングの上端面がフェルールを保護することができる。光ファイバコネクタがアダプタに接続されると、保護ハウジングの上端面がフェルールよりも先にアダプタに挿入され、不視嵌合作業における設置エンジニアの不正確な操作によるフェルールの損傷を防ぐので、光ファイバコネクタを挿入する必要性が低くなり、光ファイバコネクタの寿命が延びる。
【００１２】
任意の実施形態では、接続ベースは、締結部分と、締結部分の側面に位置する１つ以上の取り付け部分と、を含む。１つ以上の取り付け部分は、１対１の対応方法で１つ以上の接続端子に部分的に挿入される。締結部分と１つ以上の取り付け部分は一体に形成される。すなわち、接続ベースは一体に形成される。この場合、１つ以上の接続端子は挿入によって接続ベースに締結される。
【００１３】
この実施形態では、取り付け部分は接続端子に挿入され、その結果、光ファイバコネクタは、接続端子の接続ベースへの締結を実施する。したがって、接続ベースは、一体に形成された構造を有することができ、それにより、接続ベースの製造コストおよび製造困難性を低減する。さらに、接続端子は挿入により接続ベースに締結される。このようなアセンブリプロセスは、より簡便で難しくない。
【００１４】
任意の実施形態では、接続端子は、保護ハウジングと、保護ハウジングに取り付けられたフェルールと、を含む。制限孔が保護ハウジングに配置される。制限突起が取り付け部分に配置される。取り付け部分は対応する保護ハウジングに部分的に挿入され、制限突起は制限孔に部分的または完全にクランプされる。
【００１５】
この実施形態では、接続端子と接続ベースとは、制限孔と制限突起との間のスナップ嵌合接続によって互いに締結され、その結果、接続端子は挿入によって接続ベースに締結され得る。接続端子と接続ベース間のこの接続方法は、実施が容易で安定している。
【００１６】
任意の実施形態では、保護ハウジングの内面は、締結部分に面する第１の位置決め面を含む。フェルールの外側側壁は、締結部分とは反対側に向いた第２の位置決め面を含む。接続片は、弾性接続部品をさらに含む。弾性接続部品は、フェルールと取り付け部分との間で圧縮される。弾性接続部品の弾性力が第２の位置決め面を第１の位置決め面にしっかりと押圧する。この場合、フェルールは保護ハウジングに対して締結されており、フェルールは揺れていない。これは、光ファイバコネクタとアダプタとの間の接続の信頼性を確かにすることを助ける。
【００１７】
任意の実施形態では、封止部分の外径は、接続部分の外径よりも小さい。この場合、ロックキャップの外周面は階段状の構造を有し、ロックキャップは実質的に階段状の円筒構造を有しているので、ロックキャップの収容能力の要件を満たし（光ファイバコネクタのほとんどの構成要素に対応するには、ロックキャップが必要である）、ロックキャップの体積を最小化する。したがって、光ファイバコネクタはよりコンパクトになり、設置中の光ファイバコネクタと隣接する構造体との間の干渉のリスクが低減される。
【００１８】
任意の実施形態では、光ファイバコネクタは、第１の封止リングをさらに含む。第１の封止リングは、接続部分に位置している。第１の封止リングは、接続部分とアダプタとの間で圧縮されるように構成される。この場合、第１の封止リングは、ロックキャップと別の構成要素との間の接続を封止し、防水および防塵効果を達成するように構成されているので、光ファイバコネクタは、より長い寿命とより高い信頼性を有する。
【００１９】
任意の実施形態では、貫通孔を包む封止溝がメインシャフトの外周側に配置される。光ファイバコネクタは、第２の封止リングをさらに含む。第２の封止リングは、封止溝の溝壁と封止部分の内側面との間で圧縮される。この場合、第２の封止リングは、ロックキャップとメインシャフトとの間の隙間から外部の水分や塵埃などがロックキャップに侵入することを防止することができ、それによって、光ファイバコネクタの信頼性を向上させることができる。
【００２０】
任意の実施形態では、光ファイバコネクタは封止スリーブをさらに含む。封止スリーブの一端は、封止方法でテールエンドの外側にスリーブが付けられている。封止スリーブの他端は、光ケーブルの挿入を可能にし、封止方法で光ケーブルに接続されるように構成される。封止スリーブは、光ファイバコネクタの信頼性を向上させ、光ファイバコネクタの寿命を延ばすために、光ケーブルとメインシャフトとの間に封止接続を実施するように構成される。
【００２１】
任意の実施形態では、テールエンドは、ヘッドエンドに近接するゴム部分と、ヘッドエンドから離れた金属部分と、を含む。金属部分は部分的にゴム部分にあって、ゴム部分に固定接続される。金属部分およびゴム部分は、インモールド装飾により一体に形成されてもよい。あるいは、金属部分およびゴム部分は、アセンブリ（例えば、ねじ付き接続またはスナップ嵌合接続）により一体構造を形成してもよい。
【００２２】
封止スリーブは、金属部分の一部およびゴム部分の一部に封止方法で接続される。この場合、封止スリーブは、メインシャフトのテールエンドに接続された端部が金属部分の一部とゴム部分の一部との両方に封止方法で接続されている。この場合、封止スリーブとメインシャフトのテールエンドとの間の接続関係は、より安定して、信頼性がある。
【００２３】
任意の実施形態では、光ファイバコネクタは、金属圧着リングをさらに含む。金属圧着リングは封止スリーブに位置している。金属圧着リングの一端は、金属部分の外側にスリーブが付けられている。金属圧着リングの他端は、光ケーブルの外側にスリーブが付けられるように構成され、金属圧着リングの端部は、光ケーブルのアラミド糸を金属部分にしっかりと押圧することができる。
【００２４】
この実施形態では、金属圧着リングは、アラミド糸を金属部分にしっかりと押圧し、それにより、光ケーブルとメインシャフトとの間の接続強度を向上させ、光ファイバコネクタの引張強度を向上させる。
【００２５】
任意の実施形態では、光ファイバコネクタは、ダストキャップおよびランヤードをさらに含む。ランヤードの一端は、メインシャフトの外側にスリーブが付けられている。ランヤードの他端はダストキャップに接続される。防塵ロックスロットが、ダストキャップの端部に配置されている。ダストキャップの端部は、接続部分内に延在することができ、防塵ロックスロットはロック突起にスナップ嵌合される。
【００２６】
この実施形態では、光ファイバコネクタがアダプタに接続されていない場合、ダストキャップは、ロックキャップの、テールフェルールから離れた一端に取り付けられて、接続片の外側にスリーブが付けられてもよく、これにより、防水および防塵効果を達成し、接続片を保護することができる。光ファイバコネクタがアダプタに接続される場合、ダストキャップがロックキャップから取り外されるので、接続片が露出され、挿入によってアダプタに接続され得る。しかし、ダストキャップが紛失しないように、ランヤードを使用してダストキャップが光ファイバコネクタの別の構造に接続されたままにする。光ファイバコネクタがアダプタから取り外された後に、ダストキャップがロックキャップに再び取り付けられ得るので、光ファイバコネクタを頻繁に挿入および取り外しでき、光ファイバコネクタの信頼性を向上させる。
【００２７】
第２の態様によれば、本願の一実施形態は、予め製造された光ファイバをさらに提供する。予め製造された光ファイバは、光ケーブルと、前述の実施形態のいずれかによる光ファイバコネクタと、を含む。光ケーブルは貫通孔内に延在し、接続片に接続される。
【００２８】
この実施形態では、予め製造された光ファイバの光ファイバコネクタは、回転式スナップ嵌合ロック方式でファイバ終端ボックスのアダプタに接続され得るので、その結果、アセンブリはそれほど難しくなく、時間を節約できる。したがって、予め製造された光ファイバは、ホームネットワークへのファイバにより適切に適用され得る。これにより、ホームネットワークへのファイバのケーブルレイアウト中の設置が簡素化され、オンサイトの作業時間が短縮される。
【００２９】
第３の態様によれば、本願の一実施形態は、アダプタをさらに提供する。アダプタはアダプタ本体を含む。アダプタ本体は、入力端と、入力端から離れた出力端と、を含む。入力端から出力端まで延在する貫入孔がアダプタ本体に配置される。貫入孔は、入力端が光ファイバコネクタのロックキャップに挿入されたときに、光ファイバコネクタの接続片の一部を収容するように構成される。ロックスロットが入力端の外側側壁に配置される。ロックスロットは、入力端の円周方向に第２の角度で延在する。第２の角度は９０°以下である。ロックスロットは、ロックキャップの内側にロック突起を収容し、ロック突起にスナップ嵌合されるように構成される。
【００３０】
この実施形態では、ロックスロットはアダプタ上に配置され、ロックスロットは光ファイバコネクタのロックキャップ上のロック突起にスナップ嵌合され得る。したがって、アダプタは、回転式スナップ嵌合ロック方式で光ファイバコネクタに接続され得る。アダプタ本体に対する光ファイバコネクタのロックキャップの回転角度は、ロックスロットの構造サイズによって制限されるので、アダプタ本体に対するロックキャップの回転角度は第２の角度以下になる。第２の角度は９０°以下である。したがって、アダプタと光ファイバコネクタの組み立てと分解は簡単で、それほど難しくなく、時間の節約になり、接続されたアダプタと光ファイバコネクタとの間の接続関係は安定して信頼性があり、安全である。
【００３１】
任意の実施形態では、アダプタは保護キャップおよび接続ランヤードをさらに含む。接続ランヤードの一端は、アダプタ本体の外側にスリーブが付けられている。接続ランヤードの他端は保護キャップに接続される。保護ロック突起が保護キャップの端部の内側に配置される。保護キャップの端部は、入力端の外側側壁にスリーブが付けられることができ、保護ロック突起は、ロックスロットにスナップ嵌合される。
【００３２】
この実施形態では、保護キャップは、回転式スナップ嵌合ロック方式でアダプタ本体に接続される。ロックスロットの構造は、アダプタ本体に対する保護キャップの回転角度が第２の角度以下になるように設計され、第２の角度は９０°以下である。したがって、保護キャップの組み立ておよび分解は簡単で時間を節約でき、保護キャップとアダプタ本体との間のスナップ嵌合接続は非常に安定して安全である。このようにして、保護キャップは、アダプタ本体を水、ほこりなどから効果的に保護することができ、それによってアダプタの信頼性の向上に役立つ。保護キャップは、接続ランヤードを使用してアダプタ本体に接続されているため、保護キャップが外れにくく、アダプタの信頼性を向上させる。
【００３３】
第４の態様によれば、本願の一実施形態は、ファイバ終端ボックスをさらに提供する。ファイバ終端ボックスは、ボックス本体と、前述の実施形態のいずれか１つによるアダプタと、を含み、アダプタはボックス本体に取り付けられている。
【００３４】
この実施形態では、ファイバ終端ボックスのアダプタは、回転式スナップ嵌合ロック方式で光ファイバコネクタに接続され得るので、アダプタと光ファイバコネクタのアセンブリはそれほど難しくなく、時間を節約できる。したがって、光ファイバ終端ボックスは、光ファイバコネクタを有する予め製造された光ケーブルにより良好に接続され得る。これにより、ホームネットワークへのファイバのケーブルレイアウト中の設置が簡素化され、オンサイトの作業時間が短縮される。
【００３５】
第５の態様によれば、本願の一実施形態は、光ファイバ接続アセンブリをさらに提供する。光ファイバ接続アセンブリは、光ファイバコネクタおよびアダプタを含む。光ファイバ接続アセンブリは、ホームネットワークへのファイバで、ファイバ分配ボックスと予め製造された光ファイバとの間の接続、および予め製造された光ファイバと顧客端末ボックスとの間の接続に適用されてもよい。
【００３６】
光ファイバコネクタは、メインシャフト、接続片、およびロックキャップを含む。メインシャフトは、ヘッドエンドと、ヘッドエンドから離れたテールエンドと、を含む。メインシャフトには、ヘッドエンドからテールエンドまで延在する貫通孔が配置される。接続片は、ヘッドエンドに固定接続され、貫通孔に部分的に収容される。ロックキャップは、封止部分と、封止部分の側面に接続された接続部分と、を含む。封止部分は、ヘッドエンドの外側に回転可能に接続される。接続部分は、ヘッドエンドの、テールエンドから離れた側面にある。ロック突起が接続部分の内側に配置されている。
【００３７】
アダプタの本体は、入力端と、入力端から離れた出力端を含む。入力端から出力端まで延在する貫入孔が、アダプタ本体に配置される。ロックスロットが、入力端の外側側壁に配置される。ロックスロットは、入力端の円周方向に第２の角度で延在する。第２の角度は９０°以下である。
【００３８】
接続片が貫入孔に部分的に挿入されると、接続部分が入力端の一部を収容し、ロック突起がロックスロットに位置する。ロックキャップがアダプタ本体に対して第１の角度だけ回転すると、ロック突起がロックスロットにスナップ嵌合される。第１の角度は第２の角度以下である。
【００３９】
この実施形態では、ロック突起は光ファイバコネクタのロックキャップに配置され、ロック突起とロックスロットとが互いに対して回転した後に、ロック突起とロックスロットは互いにスナップ嵌合され得る。したがって、光ファイバコネクタは、回転式スナップ嵌合ロック方式でアダプタに接続され得る。アダプタ本体に対する光ファイバコネクタのロックキャップの回転角度は、アダプタ本体に対するロックキャップの第１の回転角度が第２の角度以下になるように、ロックスロットの構造サイズによって制限される。第２の角度は９０°以下である。したがって、光ファイバコネクタとアダプタは簡素で時間を節約でき、接続された光ファイバコネクタとアダプタは安定して確実に接続され、光ファイバコネクタとアダプタとの間の信号伝送プロセスは信頼できる。
【００４０】
任意の実施形態では、メインシャフトは、ヘッドエンドとテールエンドとの間に位置する移行部をさらに含む。テールエンドに面する第１の制限面が、移行部に配置される。ロックキャップは、封止部分の、接続部分から離れている側面に接続された制限部分をさらに含む。封止部分に面する第２の制限面が、制限部分に配置される。光ファイバコネクタは、弾性部品をさらに含む。弾性部品は、移行部と封止部分との間にあり、弾性部品の２つの端部は、それぞれ第１の制限面および第２の制限面に当接する。
【００４１】
この実施形態では、弾性部品は、第１の制限面と第２の制限面とが互いに離れる傾向があり、ロックキャップはメインシャフトのテールエンドに向かって移動する傾向があるように、光ファイバコネクタに配置される。したがって、ロックキャップをアダプタに接続すると、ロック突起がアダプタのロックスロットに安定してスナップ嵌合され、接続片とアダプタとが互いに締結され、光ファイバコネクタとアダプタとの間の接続関係は信頼性が高いため、優れた耐衝撃性とゆるみ防止効果を達成することができる。
【００４２】
任意の実施形態では、接続片は接続ベースと、１つ以上の接続端子と、を含む。接続ベースの一端が貫通孔に挿入される。１つ以上の接続端子の一端が、接続ベースの他端に締結される。１つ以上の接続端子の他端が、貫入孔に挿入される。
【００４３】
この実施形態では、１つ以上の接続端子を接続ベースに一緒に取り付けることができるので、光ファイバコネクタは、様々な要件を有するより多くの種類の予め製造された光ファイバに適用でき、光ファイバコネクタの適用性は比較的良好である。複数の接続端子が接続ベースに一緒に取り付けられる場合、光ファイバコネクタのポート密度は比較的高い。
【００４４】
この実施形態では、従来の弾性アームが光ファイバコネクタの接続端子に配置されていない。光ファイバコネクタとアダプタとの間のロック要件が、回転式スナップ嵌合ロック構造を使用することにより満たされ、その結果、従来の２段階の組み立て／分解プロセス（弾性アームの組み立て／分解および保護カバーの組み立て／分解）が１段階の組み立て／分解プロセスに簡素化され、これにより、光ファイバコネクタとアダプタの組み立ておよび分解の困難さと時間とをさらに削減できる。さらに、接続端子に弾性アーム構造が配置されていないため、接続端子の体積が小さくなる。したがって、光ファイバコネクタの体積を増やすことなく、ポート密度が増加され得る。
【００４５】
任意の実施形態では、接続端子は、保護ハウジングと、保護ハウジングに取り付けられたフェルールと、を含む。保護ハウジングの、接続ベースから離れた上端面は、フェルールの、接続ベースから離れた上端面に対して突起している。この場合、保護ハウジングの上端面がフェルールを保護することができる。光ファイバコネクタがアダプタに接続されると、保護ハウジングの上端面がフェルールよりも先にアダプタに挿入され、不視嵌合作業における設置エンジニアの不正確な操作によるフェルールの損傷を防ぐので、光ファイバコネクタを挿入する必要性が低くなり、光ファイバコネクタの寿命が延びる。
【００４６】
任意の実施形態では、接続ベースは、締結部分と、締結部分の側面に位置する１つ以上の取り付け部分と、を含む。１つ以上の取り付け部分は、１対１の対応方法で１つ以上の接続端子に部分的に挿入される。締結部分と１つ以上の取り付け部分は一体に形成される。すなわち、接続ベースは一体に形成される。この場合、１つ以上の接続端子は挿入によって接続ベースに締結される。
【００４７】
この実施形態では、取り付け部分は接続端子に挿入され、その結果、光ファイバコネクタは、接続端子の接続ベースへの締結を実施する。したがって、接続ベースは、一体に形成された構造を有することができ、それにより、接続ベースの製造コストおよび製造困難性を低減する。さらに、接続端子は挿入により接続ベースに締結される。このようなアセンブリプロセスは、より簡便で難しくない。
【００４８】
任意の実施形態では、接続端子は、保護ハウジングと、保護ハウジングに取り付けられたフェルールと、を含む。制限孔が保護ハウジングに配置される。制限突起が取り付け部分に配置される。取り付け部分は対応する保護ハウジングに部分的に挿入され、制限突起は制限孔に部分的または完全にクランプされる。
【００４９】
この実施形態では、接続端子と接続ベースは、制限孔と制限突起との間のスナップ嵌合接続によって互いに締結され、その結果、接続端子は挿入によって接続ベースに締結され得る。接続端子と接続ベース間のこの接続方法は、実施が容易で安定している。
【００５０】
任意の実施形態では、保護ハウジングの内面は、締結部分に面する第１の位置決め面を含む。フェルールの外側側壁は、締結部分とは反対側に向いた第２の位置決め面を含む。接続片は、弾性接続部品をさらに含む。弾性接続部品は、フェルールと取り付け部分との間で圧縮される。弾性接続部品の弾性力が第２の位置決め面を第１の位置決め面にしっかりと押圧する。この場合、フェルールは保護ハウジングに対して締結されており、フェルールは揺れていない。これは、光ファイバコネクタとアダプタとの間の接続の信頼性を確かにすることを助ける。
【００５１】
任意の実施形態では、封止部分の外径は、接続部分の外径よりも小さい。この場合、ロックキャップの外周面は階段状の構造を有し、ロックキャップは実質的に階段状の円筒構造を有しているので、ロックキャップの収容能力の要件を満たし（光ファイバコネクタのほとんどの構成要素に対応するには、ロックキャップが必要である）、ロックキャップの体積を最小化する。したがって、光ファイバコネクタはよりコンパクトになり、設置中の光ファイバコネクタと隣接する構造体との間の干渉のリスクが低減される。
【００５２】
任意の実施形態では、光ファイバコネクタは、第１の封止リングをさらに含む。第１の封止リングは、接続部分に位置している。第１の封止リングは、接続部分とアダプタとの間で圧縮される。この場合、第１の封止リングは、ロックキャップと別の構成要素との間の接続を封止し、防水および防塵効果を達成するように構成されているので、光ファイバコネクタは、より長い寿命とより高い信頼性を有する。
【００５３】
任意の実施形態では、貫通孔を包む封止溝がメインシャフトの外周側に配置される。光ファイバコネクタは、第２の封止リングをさらに含む。第２の封止リングは、封止溝の溝壁と封止部分の内側面との間で圧縮される。この場合、第２の封止リングは、ロックキャップとメインシャフトとの間の隙間から外部の水分や塵埃などがロックキャップに侵入することを防止することができ、それによって、光ファイバコネクタの信頼性を向上させることができる。
【００５４】
任意の実施形態では、光ファイバコネクタは封止スリーブをさらに含む。封止スリーブの一端は、封止方法でテールエンドの外側にスリーブが付けられている。封止スリーブの他端は、光ケーブルの挿入を可能にし、封止方法で光ケーブルに接続されるように構成される。封止スリーブは、光ファイバコネクタの信頼性を向上させ、光ファイバコネクタの寿命を延ばすために、光ケーブルとメインシャフトとの間に封止接続を実施するように構成される。
【００５５】
任意の実施形態では、テールエンドは、ヘッドエンドに近接するゴム部分と、ヘッドエンドから離れた金属部分と、を含む。金属部分は部分的にゴム部分にあって、ゴム部分に固定接続される。金属部分およびゴム部分は、インモールド装飾により一体に形成されてもよい。あるいは、金属部分およびゴム部分は、アセンブリ（例えば、ねじ付き接続またはスナップ嵌合接続）により一体構造を形成してもよい。この場合、封止スリーブは、メインシャフトのテールエンドに接続された端部が金属部分の一部とゴム部分の一部との両方に封止方法で接続されている。
【００５６】
封止スリーブは、金属部分の一部およびゴム部分の一部に封止方法で接続される。この場合、封止スリーブとメインシャフトのテールエンドとの間の接続関係は、より安定して、信頼性がある。
【００５７】
任意の実施形態では、光ファイバコネクタは、金属圧着リングをさらに含む。金属圧着リングは、封止スリーブに位置している。金属圧着リングの一端は、金属部分の外側にスリーブが付けられている。金属圧着リングの他端は、光ケーブルの外側にスリーブが付けられるように構成され、金属圧着リングの端部は、光ケーブルのアラミド糸を金属部分にしっかりと押圧することができる。
【００５８】
この実施形態では、金属圧着リングは、アラミド糸を金属部分にしっかりと押圧し、それにより、光ケーブルとメインシャフトとの間の接続強度を向上させ、光ファイバコネクタの引張強度を向上させる。
【図面の簡単な説明】
【００５９】
【図１】本願の一実施形態によるホームネットワークへのファイバの構造の概略図である。
【図２】本願の一実施形態による光ファイバ接続アセンブリの構造の概略図である。
【図３】図２に示すアダプタの概略分解図である。
【図４】図３に示す保護キャップの構造の概略図である。
【図５】本願の一実施形態による予め製造された光ファイバの構造の概略図である。
【図６】図５に示す予め製造された光ファイバの概略分解図である。
【図７】図６に示すメインシャフトの三次元構造の概略図である。
【図８】図７に示すメインシャフトの内部構造の概略図である。
【図９Ａ】図６に示す接続片の構造の概略図である。
【図９Ｂ】図９Ａに示す接続片のアセンブリ構造の概略図である。
【図１０】図９Ａに示す接続片の内部構造の概略図である。
【図１１】図１０に示す組み立てられた接続片の内部構造の概略図である。
【図１２】図５に示す予め製造された光ファイバの線Ａ−Ａに沿った断面図である。
【図１３】図６に示すロックキャップの構造の概略図である。
【図１４】図１３に示すロックキャップの内部構造の概略図である。
【図１５】図６に示すダストキャップの構造の概略図である。
【図１６】図６に示す封止スリーブの内部構造の概略図である。
【図１７】図６に示す金属圧着リングの内部構造の概略図である。
【図１８】図６に示すテールフェルールの内部構造の概略図である。
【図１９】図６に示すスナップリングの内部構造の概略図である。
【図２０】図６に示す接着剤容器の内部構造の概略図である。
【発明を実施するための形態】
【００６０】
以下では、本願の実施形態における添付図面を参照して本願の実施形態を説明する。
【００６１】
図１は、本願の一実施形態によるホームネットワーク１００へのファイバの構造の概略図である。
【００６２】
ホームネットワークへのファイバ（fiber to the home、FTTH）ネットワーク１００は、ファイバ分配ボックス１０、予め製造された光ファイバ２０、および顧客端末ボックス３０を含む。ファイバ分配ボックス１０および顧客端末ボックス３０は、両方ともファイバ終端ボックスである。ファイバ分配ボックス１０（ファイバアクセス端末とも呼ばれる）は、屋外、建物の通路、または屋内でフィーダ光ケーブルおよび分配光ケーブル（以下では、光ケーブルと呼ぶ）を接続するために使用されるインターフェース装置である。ファイバ分配ボックス１０は、ボックス本体１０１と、ボックス本体１０１に取り付けられたアダプタ１（ファイバアダプタとも呼ばれる）と、を含む。ファイバ分配ボックス１０は、複数の予め製造された光ファイバ２０を使用することにより、複数の顧客端末ボックス３０に接続され得る。図１に示すこの実施形態は、１つの予め製造された光ファイバ２０および１つの顧客端末ボックス３０を示している。予め製造された光ファイバ２０は、光ケーブル２および光ファイバコネクタ３を含む。１つの光ファイバコネクタ３が光ケーブル２の両端に取り付けられている。顧客端末ボックス３０は、ボックス本体３０１と、ボックス本体３０１に取り付けられたアダプタ１と、を含む。予め製造された光ファイバ２０の２つの光ファイバコネクタ３は、それぞれ、ファイバ分配ボックス１０のアダプタ１および顧客端末ボックス３０のアダプタ１に接続される。
【００６３】
この実施形態では、予め製造された光ファイバ２０は、ホームネットワーク１００へのファイバに使用される。予め製造された光ファイバ２０のケーブルレイアウト中に、予め製造された光ファイバ２０の２つの光ファイバコネクタ３を、それぞれファイバ分配ボックス１０のアダプタ１と顧客端末ボックス３０のアダプタ１とに挿入するだけで、設置プロセスが完了される。これにより、設置が大幅に簡素化され、現場での作業時間が短縮される。
【００６４】
図１および図２を参照すると、図２は、本願の一実施形態による光ファイバ接続アセンブリ２００の構造の概略図である。
【００６５】
光ファイバ接続アセンブリ２００は、光ファイバコネクタ３とアダプタ１とを含む。光ファイバコネクタ３とアダプタ１との間の接続は、取り外し可能な接続である。光ファイバ接続アセンブリ２００は、ホームネットワーク１００へのファイバで、ファイバ分配ボックス１０と予め製造された光ファイバ２０との間の接続、および予め製造された光ファイバ２０と顧客端末ボックス３０との間の接続に適用されてもよい。光ファイバコネクタ３の一端には接続片３１が配置されている。光ケーブル２は、光ファイバコネクタ３の他端から光ファイバコネクタ３に挿入され、接続片３１に接続される。接続片３１がアダプタ１に挿入されると、アダプタ１と光ケーブル２との間で光信号が伝送され得る。
【００６６】
図２および図３を参照すると、図３は、図２に示すアダプタ１の概略分解図である。
【００６７】
アダプタ１は、ロックナット１１、接続ランヤード１２、セラミックスリーブ１３、アダプタ本体１４、封止リング１５、および保護キャップ１６を含む。
【００６８】
アダプタ本体１４は、入力端１４１と、入力端１４１から離れた出力端１４２と、を含む。アダプタ本体１４には、入力端１４１から出力端１４２まで延在する貫入孔１４３が配置されている。光信号は、アダプタ本体１４の入力端１４１から入力され、貫入孔１４３を通って出力端１４２から出力される。アダプタ１が光ファイバコネクタ３に接続されると、貫入孔１４３は、光ファイバコネクタ３の接続片３１の一部を収容する。貫入孔１４３の形状は、貫入孔１４３に収容される接続片３１の形状に適合している。１つ以上の貫入孔１４３があってもよい。貫入孔１４３が複数ある場合、複数の貫入孔１４３は互いに離れて配置される。セラミックスリーブ１３は、各貫入孔１４３に配置されている。セラミックスリーブ１３は、光ファイバコネクタ３の接続片３１の一部に当接して光信号を伝送するように構成されている。
【００６９】
任意選択で、ロックスロット１４１２は、入力端１４１の外側側壁１４１１に配置される。ロックスロット１４１２は、入力端１４１の円周方向に第２の角度で延在し、第２の角度は９０°以下である。入力端１４１の外側側壁１４１１は、円筒面である。入力端１４１の円周方向は、入力端１４１の外側側壁１４１１の中心軸に垂直かつその周りの方向である。第２の角度は、ロックスロット１４１２の中心角である。第２の角度は、３０°、４５°、６０°、７５°、または９０°など、３０°〜９０°の角度であってもよい。ロックスロット１４１２は、順次接続されるスライドイン領域１４１３、スライド領域１４１４、およびスナップ嵌合領域１４１５を含む。スライド領域１４１４およびスナップ嵌合領域１４１５は、入力端１４１の円周方向に延在する。スライドイン領域１４１３は、スライド領域１４１４を入力端１４１の端面に接続する。スライドイン領域１４１３とは反対側に向いたスナップ嵌合面１４１６は、スナップ嵌合領域１４１５に配置されている。例えば、スライド領域１４１４からスナップ嵌合領域１４１５への方向はスライドイン方向であり、スナップ嵌合面１４１６の向きはスライドイン方向と反対である。
【００７０】
さらに、１つ、２つ、３つ、または４つ以上のロックスロット１４１２があってもよい。この実施形態は、２つのロックスロット１４１２がある例を使用することによって説明される。２つのロックスロット１４１２は、互いに反対を向くように配置される。加えて、２つのロックスロット１４１２は中心対称に分布される。具体的には、入力端１４１の外側側壁１４１１の中心軸の周りで１８０°回転すると、一方のロックスロット１４１２が他方のロックスロット１４１２と重なる。複数のロックスロット１４１２が互いに離間するように設計されている場合、ロックスロット１４１２の数は、第２の角度に基づいて設計されてもよい。例えば、第２の角度が６０°未満である場合、３つのロックスロット１４１２があってもよい。
【００７１】
任意選択で、アダプタ本体１４は、入力端１４１と出力端１４２との間に位置する停止フランジ１４４をさらに含む。位置合わせ矢印マーク１４４１は、停止フランジ１４４の側で、入力端１４１に面する側に配置される。位置合わせ矢印マーク１４４１は、別の構成要素とアダプタ本体１４との間の接続／非接続の状態を示すように構成される。
【００７２】
任意選択で、ねじ付き接続部分１４２２は、出力端１４２の外側側壁１４２１に配置される。ロックナット１１は、ねじ付き接続部分１４２２にねじ止めされている。ロックナット１１は、ファイバ終端ボックスのボックス本体に接続されるように構成されている（図１の符号１０１または３０１を参照）。別の実施形態では、ロックナット１１は、代替的に別の接続方法を実施するように構成された接続部品であってもよく、ねじ付き接続部分１４２２は、接続部品に対応する別の構造である。別の接続方法には、スナップ嵌合接続、ほぞ孔とほぞ接続、干渉接続、または弾性接続が含まれるが、これらに限定されない。
【００７３】
図３および図４を参照すると、図４は、図３に示す保護キャップ１６の構造の概略図である。
【００７４】
任意選択で、接続ランヤード１２の一端１２１はアダプタ本体１４の外側にスリーブが付けられ、接続ランヤード１２の他端１２２は保護キャップ１６に接続される。具体的には、接続ランヤード１２の端部１２１は、出力端１４２の外側にスリーブが付けられ、停止フランジ１４４とロックナット１１との間に位置する。保護キャップ１６は、接続キャップ部分１６１と保持部分３２２とを含む。接続キャップ部分１６１の上部は開いている。保持部分１６２は、接続キャップ部分１６１の底部に位置している。接続キャップ部分１６１と保持部分１６２との間には、接続溝１６３が配置されている。接続溝１６３は、連続した環状溝である。接続ランヤード１２にあり、アダプタ本体１４から離れている端部１２２は、保護キャップ１６を接続するために、接続溝１６３に配置される。
【００７５】
任意選択で、保護ロック突起１６４は、保護キャップ１６の端部の内側に配置される。保護キャップ１６の端部は、入力端１４１の外側側壁にスリーブが付けられることができ、保護ロック突起１６４は、ロックスロット１４１２にスナップ嵌合される。具体的には、保護ロック突起１６４は、接続キャップ部分１６１の内側に配置されている。保護キャップ１６がアダプタ本体１４に接続されると、接続キャップ部分１６１は入力端１４１の外側側壁にスリーブが付けられる、すなわち、入力端１４１は接続キャップ部分１６１に挿入される。保護ロック突起１６４は、スライドイン領域１４１３からロックスロット１４１２までスライドする。保護キャップ１６がアダプタ本体１４に対して回転すると、保護ロック突起１６４は、スライド領域１４１４を通ってスナップ嵌合領域１４１５までスライドし、次にスナップ嵌合領域１４１５のスナップ嵌合面１４１６にスナップ嵌合される。保護ロック突起１６４とアダプタ本体１４との間のスナップ嵌合安定性を向上させるために、スナップ嵌合面１４１６と一致するスナップ嵌合一致面が保護ロック突起１６４上にさらに配置されてもよい。
【００７６】
この実施形態では、保護キャップ１６は、回転式スナップ嵌合ロック方式でアダプタ本体１４に接続される。ロックスロット１４１２の構造は、アダプタ本体１４に対する保護キャップ１６の回転角度が第２の角度以下になるように設計され、第２の角度は９０°以下である。したがって、保護キャップ１６の組み立ておよび分解は簡単で時間を節約でき、保護キャップ１６とアダプタ本体１４との間のスナップ嵌合接続は非常に安定して安全である。このようにして、保護キャップ１６は、アダプタ本体１４を水、ほこりなどから効果的に保護することができ、それによりアダプタ１の信頼性を向上させるのに役立つ。保護キャップ１６は、接続ランヤード１２を用いてアダプタ本体１４に接続されているため、保護キャップ１６は外れにくく、アダプタ１の信頼性を向上させる。
【００７７】
指示矢印記号１６１２は、接続キャップ部分１６１の外側側壁に配置されて、組み立ておよび分解動作を実行するようにユーザを導くことができる。入力端１４１の外側側壁１４１１には、挿入方向を示すために使用される矢印記号１４１７が配置されている。指示矢印記号１６１２が入力端１４１の外側側壁１４１１上の矢印記号１４１７と位置合わせされると、保護キャップ１６がアダプタ本体１４と位置合わせされ、アダプタ本体１４に迅速に取り付けられる。停止フランジ１４４上の位置合わせ矢印マーク１４４１と共に指示矢印記号１６１２を使用すると、保護キャップ１６とアダプタ本体１４との接続／非接続状態を表示することができる。
【００７８】
任意選択で、封止溝１４１８が入力端１４１の外側側壁１４１１に配置される。封止溝１４１８は、環状溝である。封止溝１４１８は、ロックスロット１４１２の側面で、出力端１４２に近い側面に配置されている。封止リング１５は、封止溝１４１８に取り付けられている。保護キャップ１６がアダプタ本体１４に接続されると、封止リング１５は、封止溝１４１８の溝壁と接続キャップ部分１６１の内側側壁との間にしっかりと押圧される。この場合、封止リング１５は、入力端１４１と接続キャップ部分１６１との間の隙間を封止し、外部の水分やほこりなどが貫入孔１４３に入ることを防ぎ、それによってアダプタ１の寿命を延ばす。
【００７９】
図２、図５、および図６を参照すると、図５は、本願の一実施形態による予め製造された光ファイバ２０の構造の概略図であり、図６は、図５に示す予め製造された光ファイバ２０の概略分解図である。図５に示す予め製造された光ファイバ２０の光ファイバコネクタ３は、図２に示す光ファイバコネクタ３に対応する。光ファイバコネクタ３のランヤード３７の構造の一部は、図５および図６には示されていない。
【００８０】
予め製造された光ファイバ２０は、光ケーブル２および光ファイバコネクタ３を含む。光ファイバコネクタ３は、ダストキャップ３２、第１の封止リング３３、接続片３１、メインシャフト３４、弾性部品３５、第２の封止リング３６、ランヤード３７、スナップリング３８、接着剤容器３１０、ロックキャップ３９、テールフェルール３２０、金属圧着リング３３０、および封止スリーブ３４０を含む。
【００８１】
ロックキャップ３９、ランヤード３７の一端３７１、およびテールフェルール３２０は、光ファイバコネクタ３の軸方向（図５の線Ａ−Ａに平行）に配置されている。ロックキャップ３９は、中空の円筒である（ソケットとも呼ばれる、すなわち、円筒は、円筒の一端から他端まで貫通する内部貫通孔構造を有する）。テールフェルール３２０は中空の円筒である。ロックキャップ３９の内側貫通孔３９５は、テールフェルール３２０の内側貫通孔に接続されている。接続片３１は、ロックキャップ３９の内側貫通孔３９５内に部分的に位置し、接続片３１は、ロックキャップ３９の、テールフェルール３２０から離れた端部に対して部分的に突起している。予め製造された光ファイバ２０の光ケーブル２は、テールフェルール３２０の、ロックキャップ３９から離れた一端から、テールフェルール３２０の内側貫通孔およびロックキャップ３９の内側貫通孔３９５内に連続して延在し、接続片３１に連結され得る。光ファイバコネクタ３の他の構造は、ロックキャップ３９の内側貫通孔３９５およびテールフェルール３２０の内側貫通孔に配置されている。
【００８２】
ダストキャップ３２は、ランヤード３７の他端３７２に接続されている。ランヤード３７は、曲げることができる。図５に示すように、光ファイバコネクタ３がアダプタ１に接続されていない場合、ダストキャップ３２は、ロックキャップ３９の、テールフェルール３２０から離れた一端に取り付けられて、接続片３１の外側にスリーブが付けられてもよく、それにより、防水および防塵効果を達成し、接続片３１を保護することができる。図２に示すように、光ファイバコネクタ３がアダプタ１に接続される場合、ダストキャップ３２がロックキャップ３９から取り外されるので、接続片３１が露出され、挿入によってアダプタ１に接続され得る。しかし、ダストキャップ３２が紛失しないように、ランヤード３７を使用してダストキャップ３２が光ファイバコネクタ３の別の構造に接続されたままにする。光ファイバコネクタ３がアダプタ１から取り外された後に、ダストキャップ３２がロックキャップ３９に再び取り付けられ得るので、光ファイバコネクタ３を頻繁に挿入および取り外しができ、光ファイバコネクタ３の信頼性を向上させる。
【００８３】
図６から図８を参照すると、図７は、図６に示すメインシャフト３４の３次元構造の概略図であり、図８は、図７に示すメインシャフト３４の内部構造の概略図である。
【００８４】
メインシャフト３４は、ヘッドエンド３４１と、ヘッドエンド３４１から離れたテールエンド３４２と、を含む。メインシャフト３４は、ヘッドエンド３４１とテールエンド３４２との間に位置する移行部３４３をさらに含む。ヘッドエンド３４１、移行部３４３、およびテールエンド３４２は順次配置されている。メインシャフト３４は中空の円筒である。メインシャフト３４には、ヘッドエンド３４１からテールエンド３４２まで延在する貫通孔３４４が配置されている。貫通孔３４４は、メインシャフト３４の内側貫通孔である。この実施形態では、ヘッドエンド３４１の内径は、移行部３４３の内径よりも大きい。移行部３４３の内径は、テールエンド３４２の内径よりも大きい。貫通孔３４４は、様々な直径を有する孔であるメインシャフト３４は、実質的に階段状の中空の円筒である。別の実施形態では、貫通孔３４４は、代替的に別の形状の貫通孔であってもよい。
【００８５】
２つのラグ３４５は、ヘッドエンド３４１の、移行部３４３から離れた上部に配置される。２つのラグ３４５は、互いに反対側に配置されている。制限ブロック３４５１は、ラグ３４５の、移行部３４３から離れた上部に配置される。２つのラグ３４５の２つの制限ブロック３４５１は、互いに向かって曲げられている。第１の位置決め孔３４５２が、１つのラグ３４５に配置されている。制限バンプ３４１２および制限フランジ３４１３が、ヘッドエンド３４１の外側側壁３４１１にさらに配置される。制限バンプ３４１２および制限フランジ３４１３は、互いに反対を向くように配置される。制限バンプ３４１２および制限フランジ３４１３は、それぞれ２つのラグ３４５の近くに配置されてもよい。挿入スロット３４１４は、ヘッドエンド３４１にさらに配置される。挿入スロット３４１４は、貫通孔３４４をメインシャフト３４の外側に接続する。挿入スロット３４１４は、ヘッドエンド３４１の上部まで延在する。
【００８６】
メインシャフト３４の外周側には、貫通孔３４４を包む封止溝３４６が配置されている。封止溝３４６は、連続した環状溝である。この実施形態では、封止溝３４６は、ヘッドエンド３４１上に部分的に配置され、移行部３４３上に部分的に配置される。別の実施形態では、封止溝３４６は、代替的にヘッドエンド３４１上に完全に位置してもよく、または移行部３４３上に完全に位置してもよい。
【００８７】
テールエンド３４２に面する第１の制限面３４３１が、移行部３４３に配置される。第１の制限面３４３１は、封止溝３４６の、テールエンド３４２に近い側面に位置する。第１の制限面３４３１は、移行部３４３の外側側壁に位置する。
【００８８】
テールエンド３４２は、ヘッドエンド３４１に近接するゴム部分３４２１と、ヘッドエンド３４１から離れた金属部分３４２２と、を含む。金属部分３４２２は、部分的にゴム部分３４２１内に位置し、ゴム部分３４２１に固定接続される。金属部分３４２２およびゴム部分３４２１は、インモールド装飾（in−mold decoration、IMD）により一体に形成されてもよい。金属部分３４２２およびゴム部分３４２１は、代替的にアセンブリ（例えば、ねじ付き接続またはスナップ嵌合接続）により一体構造を形成してもよい。
【００８９】
貫通孔３４４を包む制限溝３４２３が、テールエンド３４２の外周側にさらに配置される。制限溝３４２３は、ゴム部分３４２１に位置している。制限溝３４２３は連続した環状溝である。
【００９０】
図６および図９Ａから図１１を参照すると、図９Ａは、図６に示す接続片３１の構造の概略図であり、図９Ｂは、図９Ａに示す接続片３１のアセンブリ構造の概略図であり、図１０は、図９Ａに示す接続片３１の内部構造の概略図であり、図１１は、図１０に示す組み立てられた接続片３１の内部構造の概略図である。本実施形態では、接続片３１がルーセントコネクタ（Lucent Connector、LC）である例を用いて説明する。別の実施形態では、接続片３１は、代替的に正方形コネクタ（square connector、SC）、ミニチュアユニット結合（miniature unit coupling、MU）コネクタ、またはマルチファイバプッシュオン（multi−fiber push on、MPO）コネクタであってもよい。
【００９１】
接続片３１は、接続ベース３１１と、１つ以上の接続端子３１２と、を含む。１つ以上の接続端子３１２は、接続ベース３１１に取り付けられている。接続片３１は、弾性接続部品３１３をさらに含む。弾性接続部品３１３の数は、接続端子３１２の数と同じである。この実施形態は、２つの接続端子３１２および２つの弾性接続部品３１３が存在する例を用いて説明される。
【００９２】
この実施形態では、１つ以上の接続端子３１２は、接続ベース３１１に一緒に取り付けられてもよいので、光ファイバコネクタ３は、様々な要件を有するより多くの種類の予め製造された光ファイバ２０に適用可能であり、光ファイバコネクタ３の適用性は比較的良好である。複数の接続端子３１２が接続ベース３１１に一緒に取り付けられる場合、光ファイバコネクタ３のポート密度は比較的高い。
【００９３】
接続ベース３１１は、締結部分３１１１と、締結部分３１１１の側面に位置する１つ以上の取り付け部分３１１２と、を含む。締結部分３１１１と１つ以上の取り付け部分３１１２とは一体に形成される。すなわち、接続ベース３１１は一体に形成される。取り付け部分３１１２の数は、接続端子３１２の数と同じである。取り付け部分３１１２が複数ある場合、複数の取り付け部分３１１２は、締結部分３１１１の片側に位置する。１つ以上の取り付け部分３１１２は、１つ以上の接続端子３１２に１対１対応で部分的に挿入される。この場合、１つ以上の接続端子３１２は、挿入により接続ベース３１１に締結される。
【００９４】
この実施形態では、取り付け部分３１１２は接続端子３１２に挿入され、その結果、光ファイバコネクタ３は、接続端子３１２の接続ベース３１１への締結を実施する。したがって、接続ベース３１１は、一体に形成された構造を有することができ、それにより接続ベース３１１の製造コストおよび製造困難性を低減する。さらに、接続端子３１２は、挿入により接続ベース３１１に締結される。このようなアセンブリプロセスは、より簡便で難しくない。
【００９５】
任意選択で、接続構造３１１３が締結部分３１１１に形成される。各取り付け部分３１１２には、貫通孔３１１４が形成されている。図１０に示すように、接続構造３１１３は、１つの入口と、入口に接続された２つの出口と、を含む。２つの取り付け部分３１１２の２つの貫通孔３１１４は、２つの出口にそれぞれ接続される。この場合、光ケーブル２のケーブルワイヤ２１（図６を参照）は、締結部分３１１１の接続構造３１１３を通って取り付け部分３１１２の貫通孔３１１４内に延在してもよい。
【００９６】
任意選択で、１つ以上の取り付け部分３１１２に面する位置決め平面３１１１２が、締結部分３１１１に配置される。接続片３１の接続ベース３１１がメインシャフト３４に取り付けられると（図７を参照）、メインシャフト３４のヘッドエンド３４１の２つのラグ３４５上の２つの制限ブロック３４５１が、位置決め平面３１１１２にスナップ嵌合されるので、接続片３１がメインシャフト３４に対して締結され、これにより、接続片３１がメインシャフト３４から外れることを防止する。
【００９７】
任意選択で、挿入ブロック３１１５が締結部分３１１１の外側側壁に形成される。１つ以上の取り付け部分３１１２とは反対側に向いた制限平面３１１６が、締結部分３１１１上にさらに配置される。制限平面３１１６は、締結部分３１１１の外側側壁の一部である。締結部分３１１１の外周側には、第２の位置決め孔３１１１４がさらに配置される。１つ以上の取り付け部分３１１２に面する締結端面３１１１３が、締結部分３１１１に配置される。１つ以上の取り付け部分３１１２は、締結端面３１１１３から、締結部分３１１１から離れる方向に延在する。
【００９８】
取り付け底部３１１７および取り付け上部３１１８が、各取り付け部分３１１２に配置される。取り付け底部３１１７は、締結端面３１１１３に締結される。取り付け上部３１１８は、取り付け底部３１１７の、締結端面３１１１３から離れた上端面に接続されている。制限突起３１１９は、取り付け部分３１１２に配置される。例えば、２つの制限突起３１１９は、取り付け上部３１１８上で互いに反対側を向いて配置される。２つの制限突起３１１９の間の位置決めブロック３１１１０が、取り付け部分３１１２にさらに配置される。第２の位置決め孔３１１１４および２つの制限突起３１１９はすべて、取り付け上部３１１８の外側側壁に配置されている。取り付け底部３１１７の上端面上の取り付け上部３１１８の外側側壁の突起は、上端面の範囲内に収まる。各取り付け部分３１１２の内側には、締結部分３１１１とは反対側に向いた当接面３１１１１が配置される。当接面３１１１１は、取り付け部分３１１２の内側貫通孔の周りに配置された環状の面である。
【００９９】
任意選択で、各接続端子３１２は、保護ハウジング３１２１と、保護ハウジング３１２１に取り付けられたフェルール３１２２と、を含む。保護ハウジング３１２１は、実質的に中空の四角筒である。制限孔３１２３が、保護ハウジング３１２１に配置される。例えば、互いに対向する２つの制限孔３１２３が、保護ハウジング３１２１に配置される。制限孔３１２３は、保護ハウジング３１２１の内側貫通孔に接続されている。組み立て中、取り付け部分３１１２は対応する保護ハウジング３１２１に部分的に挿入され、制限突起３１１９は制限孔３１２３に部分的または完全にクランプされる。制限突起３１１９と制限孔３１２３との嵌合構造により、接続端子３１２を接続ベース３１１に対して締結することができる。
【０１００】
この実施形態では、接続端子３１２と接続ベース３１１は、制限孔３１２３と制限突起３１１９との間のスナップ嵌合接続によって互いに締結され、その結果、接続端子３１２は、挿入によって接続ベース３１１に締結され得る。この接続方法は実施が容易で安定している。
【０１０１】
２つの制限孔３１２３の間の位置決めスロット３１２４が、保護ハウジング３１２１上にさらに配置される。２つの制限孔３１２３および位置決めスロット３１２４は、それぞれ保護ハウジング３１２１の３つの側壁に位置する。位置決めスロット３１２４は、保護ハウジング３１２１の、締結部分３１１１に面する底端面まで延在する。位置決めスロット３１２４は、位置決めブロック３１１１０を収容するように構成されている。保護ハウジング３１２１と取り付け部分３１１２との間の挿入接続中に、位置決めブロック３１１１０が位置決めスロット３１２４に嵌合され、その結果、保護ハウジング３１２１および取り付け部分３１１２が位置決めされる。したがって、保護ハウジング３１２１および取り付け部分３１１２の挿入がよりスムーズになる。
【０１０２】
任意選択で、保護ハウジング３１２１の内面は、締結部分３１１１に面する第１の位置決め面３１２５を含む。内面は、保護ハウジング３１２１の内側貫通孔の孔壁である。第１の位置決め面３１２５は、保護ハウジング３１２１の底端面に面している。フェルール３１２２は、中空の円筒構造である。フェルール３１２２は、締結部分３１１１に近い底部と、締結部分３１１１から離れた上部と、を有する。フェルール３１２２の外側側壁は、締結部分３１１１とは反対側に向いた第２の位置決め面３１２６を含む。第２の位置決め面３１２６は、フェルール３１２２の上部に面している。フェルール３１２２の外側側壁は、締結部分３１１１に面する当接面３１２７をさらに含む。当接面３１２７と第２の位置決め面３１２６とは、互いに反対側を向いて配置されている。
【０１０３】
弾性接続部品３１３は、フェルール３１２２と取り付け部分３１１２との間で圧縮される。弾性接続部品３１３の弾性力は、第２の位置決め面３１２６を第１の位置決め面３１２５にしっかりと押圧する。具体的には、弾性接続部品３１３の一端は、フェルール３１２２と保護ハウジング３１２１の本体との間に位置し、フェルール３１２２の当接面３１２７に当接する。弾性接続部品３１３の他端は、取り付け部分３１１２に位置し、取り付け部分３１１２の当接面３１１１１に当接する。この場合、フェルール３１２２は保護ハウジング３１２１に対して締結されており、フェルール３１２２は揺れていない。これは、光ファイバコネクタ３とアダプタ１との間の接続の信頼性を確かにすることを助ける。
【０１０４】
任意選択で、保護ハウジング３１２１の、接続ベース３１１から離れた上端面３１２８は、フェルール３１２２の、接続ベース３１１から離れた上端面３１２９に対して突出している。この場合、保護ハウジング３１２１の上端面３１２８がフェルール３１２２を保護することができる。光ファイバコネクタ３がアダプタ１に接続されると、保護ハウジング３１２１の上端面３１２８がフェルール３１２２よりも先にアダプタ１に挿入され、不視嵌合作業における設置エンジニアの不正確な操作によるフェルール３１２２の損傷を防ぐので、光ファイバコネクタ３を挿入する必要性が低くなり、光ファイバコネクタ３の寿命が延びる。
【０１０５】
この実施形態では、１つ以上の保護突起３１２１０が保護ハウジング３１２１の上部に配置される。１つ以上の保護突起３１２１０の、接続ベースから離れた端面は、保護ハウジング３１２１の上端面３１２８である。例えば、互いに対向する２つの保護突起３１２１０が、保護ハウジング３１２１の上部にさらに配置される。２つの保護突起３１２１０は、保護ハウジング３１２１の内側貫通孔の両側にそれぞれ位置する。２つの保護突起３１２１０は、保護ハウジング３１２１の、互いに反対側を向いた２つの側壁にそれぞれ接続される。
【０１０６】
図８、図１１および図１２を参照すると、図１２は、図５に示す予め製造された光ファイバ２０の線Ａ−Ａに沿った断面図である。
【０１０７】
接続片３１は、メインシャフト３４のヘッドエンド３４１に固定接続され、貫通孔３４４に部分的に収容される。光ケーブル２は、貫通孔３４４内に延在し、接続片３１に接続されている。本願のこの実施形態において、「固定接続」という用語は、２つの組み立てられた構成要素間の相対的な位置関係が固定され、２つの構成要素間の接続が取り外し可能な接続または取り外し不可能な接続であってもよいことを示す。具体的には、接続片３１の接続ベース３１１の一端が貫通孔３４４に挿入され、１つ以上の接続端子３１２が接続ベース３１１の他端に締結される。接続ベース３１１の制限平面３１１６は、メインシャフト３４の上端面（すなわち、ヘッドエンド３４１の、テールエンド３４２から離れた上端面）に当接する。この場合、接続片３１とメインシャフト３４とは、互いに光ファイバコネクタ３１の軸方向に位置している。図６を参照すると、接続片３１の締結部分３１１１の第２の位置決め孔３１１１４は、メインシャフト３４のラグ３４５の第１の位置決め孔３４５２と整列する。ボルト３５０が、第１の位置決め孔３４５２および第２の位置決め孔３１１１４に挿入されてもよく、これにより、接続片３１とメインシャフト３４とが、光ファイバコネクタ３１の軸方向および円周方向（光ファイバコネクタ３１の軸方向に直交し、かつその周りの方向）に互いに位置するようになっている。
【０１０８】
組み立て中、接続片３１の接続ベース３１１上の挿入ブロック３１１５（図９Ａおよび図９Ｂを参照）は、メインシャフト３４のヘッドエンド３４１上の挿入スロット３４１４（図７を参照）に挿入される。挿入ブロック３１１５が挿入スロット３４１４に嵌合されるので、メインシャフト３４と接続片３１とが光ファイバコネクタ３１の円周方向に互いに位置するようになる。
【０１０９】
図１２から図１４を参照すると、図１３は、図６に示すロックキャップ３９の構造の概略図であり、図１４は、図１３に示すロックキャップ３９の内部構造の概略図である。
【０１１０】
ロックキャップ３９は中空の円筒である。ロックキャップ３９は、メインシャフト３４の外側と接続片３１の外側とにスリーブが付けられる。ロックキャップ３９は、封止部分３９１と、封止部分３９１の側面に接続された接続部分３９２と、を含む。ロックキャップ３９は、封止部分３９１の、接続部分３９２から離れた側面に接続された制限部分３９３をさらに含む。接続部分３９２、封止部分３９１、制限部分３９３は、光ファイバコネクタ３の軸方向に順次配置されている。ロックキャップ３９の内側貫通孔３９５は、接続部分３９２の端部から制限部分３９３の端部まで貫通している。封止部分３９１は、メインシャフト３４のヘッドエンド３４１の外側に回転可能に接続される。接続部分３９２は、ヘッドエンド３４１の、テールエンド３４２から離れた側面に位置する。接続部分３９２は、接続片３１の周りを包む。制限部分３９３は、移行部３４３の外側に位置する。図２を参照すると、光ファイバコネクタ３がアダプタ１に接続されると、接続片３１がアダプタ本体１４の入力端１４１に部分的に挿入され、アダプタ本体１４の入力端１４１がロックキャップ３９の接続部分３９２に挿入される。接続部分３９２は、接続片３１がアダプタ１に挿入されると、アダプタ１を部分的に収容するように構成される。
【０１１１】
この実施形態では、接続部分３９２の内径は、封止部分３９１の内径よりも大きい。封止部分３９１の内径は、制限部分３９３の内径よりも大きい。ロックキャップ３９の内側貫通孔３９５は、様々な直径を有する孔である。別の実施形態では、ロックキャップ３９の内側貫通孔３９５は、代替的に別の形状の貫通孔であってもよい。
【０１１２】
この実施形態では、封止部分３９１の外径Ｄ１は、接続部分３９２の外径Ｄ２よりも小さい。制限部分３９３の外径Ｄ３は、封止部分３９１の外径Ｄ１よりさらに小さくてもよい。すなわち、接続部分３９２の外径Ｄ２、封止部分３９１の外径Ｄ１、および制限部分３９３の外径Ｄ３は、順次小さくなる。ロックキャップ３９の収容能力の要件を満たすために（光ファイバコネクタ３のほとんどの構成要素を収容するためにロックキャップ３９が必要とされる）、ロックキャップ３９の外周面は階段状の構造を有し、ロックキャップ３９の体積を最小化する。したがって、光ファイバコネクタ３はよりコンパクトになる。
【０１１３】
任意選択で、ロック突起３９４が接続部分３９２の内側に配置される。ロック突起３９４は、ロックキャップ３９の内側貫通孔３９５の孔壁に位置する。この実施形態では、２つのロック突起３９４がある。２つのロック突起３９４は、互いに反対側に配置されている。別の実施形態では、１つまたは４つ以上のロック突起３９４があってもよい。
【０１１４】
図２、図３、および図１３を参照すると、ロック突起３９４は、ロックキャップ３９がアダプタ１に対して第１の角度だけ回転すると、アダプタ１のロックスロット１４１２にスナップ嵌合されるように構成される。第１の角度は９０°以下である。具体的には、光ファイバコネクタ３がアダプタ１に接続されると、接続片３１がアダプタ本体１４の貫入孔１４３に部分的に挿入され、接続部分３９２がアダプタ本体１４の入力端１４１を部分的に収容し、ロック突起３９４がロックスロット１４１２に位置する。ロックキャップ３９がアダプタ本体１４に対して第１の角度だけ回転すると、ロック突起３９４がロックスロット１４１２にスナップ嵌合される。第１の角度は第２の角度以下である。ロック突起３９４は、スライドイン領域１４１３からロックスロット１４１２までスライドする。ロックキャップ３９がアダプタ本体１４に対して回転すると、ロック突起３９４がスライド領域１４１４を通ってスナップ嵌合領域１４１５までスライドし、それからスナップ嵌合領域１４１５のスナップ嵌合面１４１６にスナップ嵌合される。すなわち、アダプタ本体１４の貫入孔１４３は、入力端１４１が光ファイバコネクタ３のロックキャップ３９に挿入されたときに、光ファイバコネクタ３の接続片３１の一部を収容するように構成されてもよい。アダプタ本体１４のロックスロット１４１２は、ロックキャップ３９の内側にロック突起３９４を収容し、ロック突起３９４にスナップ嵌合されるように構成される。
【０１１５】
この実施形態では、アダプタ本体１４に対するロックキャップ３９の第１の回転角度は、ロックスロット１４１２の構造によって制限され、ロックスロット１４１２は、アダプタ本体１４の入力端１４１の円周方向に第２の角度だけ延在し、その結果、第１の角度は第２の角度以下になる。ロックキャップ３９は、アダプタ本体１４に回転式スナップ嵌合ロック方式で接続される。したがって、ロックスロット１４１２の構造は、第１の角度のサイズを設定または変更するように設計することができ、それにより、ロックキャップ３９がアダプタ本体１４に接続されるときに必要な回転角度を変更する。
【０１１６】
この実施形態では、ロックキャップ３９は、回転式スナップ嵌合ロック方式でアダプタ本体１４に接続され、アダプタ本体１４に対するロックキャップ３９の回転角度は第２の角度以下であり、第２の角度が９０°以下であるので、光ファイバコネクタ３およびアダプタ１の組み立てまたは分解を完了するために、ロックキャップ３９が、アダプタ本体１４に対して円の１／４未満の角度だけ回転するだけでよい。したがって、光ファイバ接続アセンブリ２００の組み立ておよび分解は簡素で時間の節約になり（従来の光ファイバ接続アセンブリに必要な時間の約５分の１、またはさらに短い時間）、光ファイバコネクタ３とアダプタ１との間のスナップ嵌合接続は非常に安定で安全であり、光ファイバ接続アセンブリ２００の信号伝送は非常に信頼性が高い。
【０１１７】
さらに、この実施形態では、光ファイバコネクタ３の接続端子３１２（図９Ｂを参照）には、従来の弾性アームが配置されていない。光ファイバコネクタ３とアダプタ１との間のロック要件が、回転式スナップ嵌合ロック構造を使用することにより満たされ、その結果、従来の２段階の組み立て／分解プロセス（弾性アームの組み立て／分解および保護カバーの組み立て／分解）が１段階の組み立て／分解プロセスに簡素化され、これにより、光ファイバコネクタ３とアダプタ１の組み立ておよび分解の困難さと時間とをさらに削減できる。さらに、接続端子３１２には弾性アーム構造が配置されていないため、接続端子３１２の体積が小さくなる。したがって、光ファイバコネクタ３の体積を増加させることなく、ポート密度を増加させることができる。
【０１１８】
ロック突起３９４とアダプタ本体１４との間のスナップ嵌合安定性を向上させるために、スナップ嵌合面１４１６と一致するスナップ嵌合一致面がロック突起３９４上にさらに配置されてもよい。ロック突起３９４の構造は、ロックスロット１４１２の構造と一致し、ロックキャップ３９とアダプタ本体１４との回転式スナップ嵌合ロック接続構造は、アダプタ１の保護キャップ１６とアダプタ本体１４との回転式スナップ嵌合ロック接続構造と同じであることが理解できる。
【０１１９】
指示矢印マーク３９２２が、接続部分３９２の外側側壁３９２１に配置される。光ファイバコネクタ３がアダプタ１に接続されると、指示矢印マーク３９２２が入力端１４１の外側側壁１４１１の矢印記号１４１７と位置合わせされている場合には、ロックキャップ３９は、アダプタ本体１４に迅速に取り付けられるように、アダプタ本体１４と位置合わせされ得る。指示矢印マーク３９２２がアダプタ本体１４の停止フランジ１４４上の位置合わせ矢印マーク１４４１と共に使用されると、ロックキャップ３９とアダプタ本体１４との接続／非接続状態が表示され得る。
【０１２０】
接続部分３９２の外側側壁３９２１と封止部分３９１の外側側壁３９１１との両方に、浅溝が配置されている。一実施形態では、接続部分３９２の浅溝３９２３と封止部分３９１の浅溝３９１２とが接続され、ロックキャップ３９の軸方向（すなわち、光ファイバコネクタ３の軸方向）に連続的に延在する。別の実施形態では、接続部分３９２の浅溝３９２３および封止部分３９１の浅溝３９１２は、代替的に別の形状および別の接続関係を有してもよい。制限部分３９３の外側側壁は、対称的に配置された複数のエッジカット平面３９３１を含む。４つのエッジカット平面３９３１がある。互いに対向する２つのエッジカット平面３９３１は、エッジカット平面３９３１の１つのグループを形成する。浅溝３９３２が、各エッジカット平面３９３１に配置される。浅溝３９３２は、軸方向に垂直な方向に延在してもよい。これにより、ユーザはより良い手触りを得ることができ、ユーザがロックキャップ３９を保持または操作するときにロックキャップ３９がスライドしにくくなる。
【０１２１】
図１２および図１４を参照すると、任意選択で、接続部分３９２に面する停止平面３９１３が封止部分３９１に配置される。停止平面３９１３は、ロックキャップ３９の内側貫通孔３９５の孔壁の一部である。メインシャフト３４がロックキャップ３９に取り付けられると（すなわち、メインシャフト３４がロックキャップ３９の内側貫通孔３９５に挿入されると）、メインシャフト３４のヘッドエンド３４１上の制限バンプ３４１２および制限フランジ３４１３（図７を参照）が、ロックキャップ３９の停止平面３９１３に当接し、その結果、メインシャフト３４とロックキャップ３９とが互いに位置決めされる。
【０１２２】
任意選択で、図１４を参照すると、封止部分３９１に面する第２の制限面３９２４が制限部分３９３に配置される。第２の制限面３９２４は、制限部分３９３の、封止部分３９１に接続された端面の一部であってもよい。第２の制限面３９２４は、ロックキャップ３９の内側貫通孔３９５の孔壁の一部である。
【０１２３】
図８、図１２、および図１４を参照すると、光ファイバコネクタ３は、弾性部品３５をさらに含む。弾性部品３５は、移行部３４３と封止部分３９１との間に位置し、弾性部品３５の両端が、それぞれ第１の制限面３４３１および第２の制限面３９２４に当接する。
【０１２４】
この実施形態では、弾性部品３５は、第１の制限面３４３１と第２の制限面３９２４とが互いに離れる傾向があり、ロックキャップ３９がメインシャフト３４のテールエンド３４２に向かって移動する傾向があるように配置される。したがって、ロックキャップ３９をアダプタ１（図３を参照）に接続すると、ロック突起３９４がアダプタ本体１４のロックスロット１４１２に安定してスナップ嵌合されることができ、接続片３１とアダプタ本体１４とが、光ファイバコネクタ３の軸方向に互いに締結されるので、ロックキャップ３９とアダプタ１との間の接続関係は信頼性があり、それにより、良好な耐衝撃性およびゆるみ防止効果を達成する。
【０１２５】
図２、図１２、および図１５を参照すると、図１５は、図６に示すダストキャップ３２の構造の概略図である。
【０１２６】
任意選択で、光ファイバコネクタ３のランヤード３７の一端３７１は、メインシャフト３４の外側にスリーブが付けられ、ランヤード３７の他端３７２はダストキャップ３２に接続される。具体的には、ダストキャップ３２は、挿入部分３２１と保持部分３２２とを含む。挿入部分３２１の上側は開放されている。保持部分３２２は、挿入部分３２１の底側に接続されている。挿入部分３２１と保持部分３２２との間には、接続溝３２３が配置されている。接続溝３２３は、連続した環状溝である。ランヤード３７の、メインシャフト３４から離れた端部３７２は、ダストキャップ３２を接続するために、接続溝３２３に配置されている。
【０１２７】
任意選択で、防塵ロックスロット３２４がダストキャップ３２の端部に配置される。ダストキャップ３２の端部は接続部分３９２内に延在することができ、防塵ロックスロット３２４はロック突起３９４にスナップ嵌合される。具体的には、防塵ロックスロット３２４は、挿入部分３２１の外側側壁３２１１に配置されている。防塵ロックスロット３２４は、挿入部分３２１の円周方向に第３の角度で延在する。第３の角度は９０°以下であってもよい。挿入部分３２１の外側側壁３２１１は円筒面である。挿入部分３２１の円周方向とは、挿入部分３２１の外側側壁３２１１の中心軸に垂直かつその周りの方向である。第３の角度は、防塵ロックスロット３２４の中心角である。第３の角度は、３０°、４５°、６０°、７５°、または９０°など、３０°〜９０°の角度であってもよい。防塵ロックスロット３２４は、連続的に接続されたスライドイン領域３２４１、スライド領域３２４２、およびスナップ嵌合領域３２４２を含む。スライド領域３２４２およびスナップ嵌合領域３２４３は、挿入部分３２１の円周方向に延在する。スライドイン領域３２４１は、スライド領域３２４２を挿入部分３２１の端面に接続する。スライドイン領域３２４２とは反対側に向いたスナップ嵌合面３２４４が、スナップ嵌合領域３２４３に配置されている。例えば、スライド領域３２４２からスナップ嵌合領域３２４３への方向はスライドイン方向であり、スナップ嵌合面３２４４の向きはスライドイン方向と反対である。
【０１２８】
ダストキャップ３２がロックキャップ３９に接続されると、ダストキャップ３２の挿入部分３２１が、ロックキャップ３９の接続部分３９２内に完全に、または部分的に延在する。接続片３１は、挿入部分３２１内に部分的に延在する。ロックキャップ３９のロック突起３９４は、スライドイン領域３２４１から防塵ロックスロット３２４までスライドする。ダストキャップ３２がロックキャップ３９に対して回転すると（またはロックキャップ３９がダストキャップ３２に対して回転すると）、ロック突起３９４がスライド領域３２４２を通ってスナップ嵌合領域３２４３までスライドし、それからスナップ嵌合領域３２４３のスナップ嵌合面３２４４にスナップ嵌合される。ロック突起３９４とダストキャップ３２との間のスナップ嵌合安定性を向上させるために、スナップ嵌合面３２４４と一致するスナップ嵌合一致面がロックキャップ３９のロック突起３９４上にさらに配置されてもよい。
【０１２９】
本願のこの実施形態では、光ファイバ接続アセンブリ２００の光ファイバコネクタ３のロックキャップ３９は、回転式スナップ嵌合ロック構造を使用することにより、アダプタ１のアダプタ本体１４に接続され、光ファイバコネクタ３のロックキャップ３９が、回転式スナップ嵌合ロック構造を使用することにより、光ファイバコネクタ３のダストキャップ３２に接続され、アダプタ１の保護キャップ１６が、回転式スナップ嵌合ロック構造を使用することにより、アダプタ本体１４に接続されることが理解され得る。したがって、アダプタ１の保護キャップ１６の接続構造は、光ファイバコネクタ３のロックキャップ３９の接続構造と同様であり、光ファイバコネクタ３のダストキャップ３２の接続構造は、アダプタ１のアダプタ本体１４の接続構造と同様である。この実施形態では、光ファイバコネクタ３とアダプタ１との間の接続、光ファイバコネクタ３の構成要素間の接続、およびアダプタ１の構成要素間の接続は、同じ回転式スナップ嵌合ロック構造を使用して実施されるので、光ファイバ接続アセンブリ２００の構造はさらに簡素化され、設置はそれほど難しくない。
【０１３０】
一実施形態では、第３の角度は第２の角度に等しいので、ダストキャップ３２とロックキャップ３９との間の接続動作は、アダプタ本体１４とロックキャップ３９との間の接続動作と同じであり、それによりユーザエクスペリエンスを向上させる。
【０１３１】
さらに、１つ、２つ、または４つ以上の防塵ロックスロット３２４があってもよい。この実施形態は、２つの防塵ロックスロット３２４がある例を使用して説明される。２つの防塵ロックスロット３２４は、互いに反対を向くように配置されている。さらに、２つの防塵ロックスロット３２４は、中心対称に分布される。具体的には、挿入部分３２１の外側側壁３２１１の中心軸周りで１８０°回転すると、一方の防塵ロックスロット３２４が他方の防塵ロックスロット３２４と重なる。複数の防塵ロックスロット３２４が互いに離間するように設計されている場合、防塵ロックスロット３２４の数は、第２の角度に基づいて設計されてもよい。例えば、第２の角度が６０°未満である場合、３つの防塵ロックスロット３２４があってもよい。
【０１３２】
任意選択で、ダストキャップ３２は、挿入部分３２１と保持部分３２２との間に位置する中間部分３２５をさらに含む。中間部分３２５の外側側壁３２５１には、位置合わせ矢印マーク３２５２が配置されている。位置合わせ矢印マーク３２５２は、他の部品とダストキャップ３２の接続／非接続状態を示すように構成される。
【０１３３】
図６、図１２、および図１５を参照すると、光ファイバコネクタ３の第１の封止リング３３は、接続部分３９２に配置されている。光ファイバコネクタ３がダストキャップ３２に接続されると、第１の封止リング３３が接続部分３９２とダストキャップ３２との間で圧縮される。ダストキャップ３２の挿入部分３２１の外側側壁３２１１には、封止接続溝３２１２が配置されている。封止接続溝３２１２は、中間部分３２５と防塵ロックスロット３２４との間に位置する。第１の封止リング３３は、封止接続溝３２１２に取り付けられている。
【０１３４】
光ファイバコネクタ３がアダプタ１に接続されると（図３を参照）、第１の封止リング３３が接続部分３９２とアダプタ１との間で圧縮されるように構成される。この場合、アダプタ１の封止リング１５は、封止溝１４１８から取り外される。第１の封止リング３３は、封止溝１４１８に取り付けられている。
【０１３５】
この実施形態では、第１の封止リング３３は、ロックキャップ３９と別の構成要素との間の接続を封止して、防水および防塵効果を達成するように構成されているので、光ファイバコネクタ３はＩＰ６８の保護レベルを達成することができ、寿命が長くなり、信頼性が高くなる。
【０１３６】
図７、図１２、および図１４を参照すると、光ファイバコネクタ３の第２の封止リング３６は、封止溝３４６の溝壁と封止部分３９１の内側面との間で圧縮される。封止部分３９１の内側面は、ロックキャップ３９の内側貫通孔３９５の孔壁の一部である。この場合、第２の封止リング３６は、外部の水分や塵埃などがロックキャップ３９とメインシャフト３４との間の隙間からロックキャップ３９に侵入することを防止することができるので、光ファイバコネクタ３がＩＰ６８の保護レベルを達成することができ、それによって光ファイバコネクタ３の信頼性を向上させる。
【０１３７】
図６、図１２、および図１６を参照すると、図１６は、図６に示す封止スリーブ３４０の内部構造の概略図である。
【０１３８】
光ファイバコネクタ３の封止スリーブ３４０の一端３４０１は、メインシャフト３４のテールエンド３４２の外側に封止方法でスリーブが付けられている。封止スリーブ３４０の他端３４０２は、光ケーブル２の挿入を可能にし、封止方法で光ケーブル２に接続されるように構成される。封止スリーブ３４０は中空の円筒である。光ケーブル２は、封止スリーブ３４０の内側貫通孔に挿入されてそれを通過し、それからメインシャフト３４の貫通孔３４４に入る。封止スリーブ３４０は、光ファイバコネクタ３の信頼性を向上させ、光ファイバコネクタ３の寿命を延ばすために、光ケーブル２とメインシャフト３４との間の封止接続を実施するように構成される。
【０１３９】
封止スリーブ３４０は、熱収縮チューブであってもよい。封止スリーブ３４０は、メインシャフト３４のテールエンド３４２と光ケーブル２との両方への接続の信頼性を向上させるために、内面に接着剤を有するチューブであってもよい。封止スリーブ３４０の場合、メインシャフト３４のテールエンド３４２に接続された端部３４０１（図１６の上端部）の内径は、光ケーブル２に接続された端部３４０２（図１６の底端部）の内径よりも大きい。封止スリーブ３４０の２つの端部（３４０１／３４０２）の間の中間部分３４０３の内径は、２つの端部（３４０１／３４０２）の間の内径であってもよい。封止スリーブ３４０の内側貫通孔３４０４は、様々な直径を有する孔であってもよい。封止スリーブ３４０の外側側壁は、実質的に階段状である。
【０１４０】
封止スリーブ３４０は、金属部分３４２２の一部およびゴム部分３４２１の一部に封止方法で接続されている。具体的には、封止スリーブ３４０の場合、メインシャフト３４のテールエンド３４２に接続された端部３４０１は、金属部分３４２２の一部とゴム部分３４２１の一部との両方に封止方法で接続されている。この場合、封止スリーブ３４０とメインシャフト３４のテールエンド３４２との間の接続関係は、より安定して信頼性が高い。
【０１４１】
図６および図１２を参照すると、予め製造された光ファイバ２０の光ケーブル２は、ケーブルワイヤ２１、アラミド糸２２、ケーブルジャケット２３、第１の支持リング２４、および第２の支持リング２５を含んでもよい。ケーブルワイヤ２１とアラミド糸２２の両方は、ケーブルジャケット２３に位置している。アラミド糸２２は、ケーブルワイヤ２１の周りに巻き付けられてもよい。アラミド糸２２の引張強度および曲げ強度の両方は、ケーブルワイヤ２１のそれらよりも大きい。アラミド糸２２は、ケーブルワイヤ２１を保護し、ケーブルワイヤ２１が破損するリスクを低減し、光ケーブル２の引張強度を改善するように構成される。ケーブルジャケット２３は、ケーブルワイヤ２１およびアラミド糸２２を包んで保護を提供する。
【０１４２】
第１の支持リング２４は金属リングである。第１の支持リング２４は、ケーブルワイヤ２１およびアラミド糸２２の周りを包み、ケーブルジャケット２３内に位置している。第２の支持リング２５は金属リングである。第２の支持リング２５は、ケーブルワイヤ２１およびアラミド糸２２の周りを包み、ケーブルジャケット２３内に位置している。第２の支持リング２５と第１の支持リング２４とは、互いに離間して配置されている。第２の支持リング２５と第１の支持リング２４との両方が支持と保護を提供する。
【０１４３】
図６、図１２、および図１７を参照すると、図１７は、図６に示す金属圧着リング３３０の内部構造の概略図である。
【０１４４】
光ファイバコネクタ３１の金属圧着リング３３０は、封止スリーブ３４０に位置している。金属圧着リング３３０は、中空の円筒である。金属圧着リング３３０の一端３３０１は、メインシャフト３４のテールエンド３４２の金属部分３４２２の外側にスリーブが付けられている。金属圧着リング３３０の他端３３０２は、光ケーブル２の外側にスリーブが付けられるように構成され、金属圧着リング３３０の端部３３０１は、光ケーブル２のアラミド糸２２を金属部分３４２２にしっかりと押圧することができる。
【０１４５】
この実施形態では、金属圧着リング３３０は、アラミド糸２２を金属部分３４２２にしっかりと押圧し、それにより、光ケーブル２とメインシャフト３４との間の接続強度を向上させ、光ファイバコネクタ３の引張強度を向上させる。
【０１４６】
金属圧着リング３３０の場合、金属部分３４２２に接続された端部３３０１（図１７の上端部）の内径は、他端３３０２（図１７の底端部）の内径よりも大きい。金属圧着リング３３０の内側貫通孔３３０３は、様々な直径を有する孔である。金属圧着リング３３０の外側側壁は階段状である。
【０１４７】
図６、図１２、および図１８を参照すると、図１８は、図６に示すテールフェルール３２０の内部構造の概略図である。
【０１４８】
テールフェルール３２０は中空の円筒である。テールフェルール３２０は、メインシャフト３４のテールエンド３４２の外側と、封止スリーブ３４０の外側と、にスリーブが付けられている。テールフェルール３２０は、メインシャフト３４のテールエンド３４２に封止方法で接続されている。テールフェルール３２０は、封止方法で封止スリーブ３４０に接続されている。テールフェルール３２０は、形成されたスリーブ部材であってもよく、メインシャフト３４のテールエンド３４２の外側と、アセンブリを介して封止スリーブ３４０の外側と、にスリーブが付けられている。あるいは、テールフェルール３２０は、装飾を介してメインシャフト３４のテールエンド３４２の外側および封止スリーブ３４０の外側に直接形成されてもよい。この実施形態では、テールフェルール３２０は、光ファイバコネクタ３の引張強度および封止性能を向上させるために、保護および封止効果を提供することができる。
【０１４９】
テールフェルール３２０の内側貫通孔３２０１の形状およびサイズは、メインシャフト３４のテールエンド３４２および封止スリーブ３４０に適合し、テールフェルール３２０は、メインシャフト３４のテールエンド３４２および封止スリーブ３４０をしっかりと包む。
【０１５０】
内側スナップ嵌合フランジ３２０２は、テールフェルール３２０の一端に配置され、メインシャフト３４のテールエンド３４２にスリーブが付けられている。内側スナップ嵌合フランジ３２０２は、テールフェルール３２０の内側貫通孔３２０１内に延在する。
【０１５１】
図６、図１２、および図１９を参照すると、図１９は、図６に示すスナップリング３８の内部構造の概略図である。
【０１５２】
光ファイバコネクタ３は、スナップリング３８をさらに含む。スナップリング３８は、メインシャフト３４のテールエンド３４２の制限溝３４２３に取り付けられる（図７を参照）。スナップリング３８は、メインシャフト３４に対して締結されている。スナップリング３８の外側側壁は、階段状構造を形成する。スナップリング３８の外側側壁は、階段状の表面３８１を有する。階段状の表面３８１は、メインシャフト３４の移行部３４３に面している。テールフェルール３２０の内側スナップ嵌合フランジ３２０２は、階段状の表面３８１に当接する。この場合、スナップリング３８を使用することにより、テールフェルール３２０がメインシャフト３４に対してさらに締結され、テールフェルール３２０がメインシャフト３４から誤って外れるリスクを低減することができ、これにより、光ファイバコネクタ３の引張強度を向上させる。
【０１５３】
図６、図１２、および図２０を参照すると、図２０は、図６に示す接着剤容器３１０の内部構造の概略図である。
【０１５４】
接着剤容器３１０は、メインシャフト３４に位置している。接着剤容器３１０は、本体部分３１０１と、本体部分３１０１の内側に締結された少なくとも２つの支持部分３１０２と、を含む。少なくとも２つの支持部分３１０２は、本体部分３１０１の軸方向に互いに離間して配置されている。光ケーブル２のケーブルワイヤ２１は、本体部分３１０１内に延在し、少なくとも２つの支持部分３１０２の上に置かれるか、またはそれを連続的に通過してもよい。接着剤容器３１０は、ケーブルワイヤ２１の、メインシャフト３４の貫通孔３４４内にある部分を支持および締結するように構成されているので、ケーブルワイヤ２１がメインシャフト３４に対して締結され、これにより、頻繁な揺れや衝撃による損傷からケーブルワイヤ２１を保護し、光ファイバコネクタ３の信頼性を向上させる。
【０１５５】
第３の位置決め孔３１０３が本体部分３１０１に配置されている。対応する第４の位置決め孔３１０４（図６を参照）がメインシャフト３４に配置されている。第４の位置決め孔３１０４は、メインシャフト３４の移行部３４３に配置されている。接着剤容器３１０は、メインシャフト３４の第４の位置決め孔３１０４および第３の位置決め孔３１０３にラッチを順次挿入することにより、メインシャフト３４に対して締結されてもよい。
【０１５６】
上記の説明は、本発明の特定の実施に過ぎず、本発明の保護範囲を限定するものではない。本発明において開示される技術的範囲内で当業者が容易に想到する変形または置換は、本発明の保護範囲内に含まれるものとする。したがって、本発明の保護範囲は、特許請求の範囲の保護範囲に従うものとする。
【符号の説明】
【０１５７】
１  アダプタ
２  光ケーブル
３  光ファイバコネクタ
１０  ファイバ分配ボックス
１１  ロックナット
１２  接続ランヤード
１３  セラミックスリーブ
１４  アダプタ本体
１５  封止リング
１６  保護キャップ
２０  予め製造された光ファイバ
２１  ケーブルワイヤ
２２  アラミド糸
２３  ケーブルジャケット
２４  第１の支持リング
２５  第２の支持リング
３０  顧客端末ボックス
３１  接続片
３２  ダストキャップ
３３  第１の封止リング
３４  メインシャフト
３５  弾性部品
３６  第２の封止リング
３７  ランヤード
３８  スナップリング
３９  ロックキャップ
１００  ホームネットワーク
１０１  ボックス本体
１２１  一端、端部
１２２  他端、端部
１４１  入力端
１４２  出力端
１４３  貫入孔
１４４  停止フランジ
１６１  接続キャップ部分
１６２  保持部分
１６３  接続溝
１６４  保護ロック突起
２００  光ファイバ接続アセンブリ
３０１  ボックス本体
３１０  接着剤容器
３１１  接続ベース
３１２  接続端子
３１３  弾性接続部品
３２０  テールフェルール
３２１  挿入部分
３２２  保持部分
３２３  接続溝
３２４  防塵ロックスロット
３２５  中間部分
３３０  金属圧着リング
３４０  封止スリーブ
３４１  ヘッドエンド
３４２  テールエンド
３４３  移行部
３４４  貫通孔
３４５  ラグ
３４６  封止溝
３５０  ボルト
３７１  一端
３７２  他端、端部
３８１  階段状の表面
３９１  封止部分
３９２  接続部分
３９３  制限部分
３９４  ロック突起
３９５  内側貫通孔
１４１１  外側側壁
１４１２  ロックスロット
１４１３  スライドイン領域
１４１４  スライド領域
１４１５  スナップ嵌合領域
１４１６  スナップ嵌合面
１４１７  矢印記号
１４１８  封止溝
１４２１  外側側壁
１４２２  ねじ付き接続部分
１４４１  位置合わせ矢印マーク
１６１２  指示矢印記号
３１０１  本体部分
３１０２  支持部分
３１０３  第３の位置決め孔
３１０４  第４の位置決め孔
３１１１  締結部分
３１１２  取り付け部分
３１１３  接続構造
３１１４  貫通孔
３１１５  挿入ブロック
３１１６  制限平面
３１１７  取り付け底部
３１１８  取り付け上部
３１１９  制限突起
３１２１  保護ハウジング
３１２２  フェルール
３１２３  制限孔
３１２４  位置決めスロット
３１２５  第１の位置決め面
３１２６  第２の位置決め面
３１２７  当接面
３１２８  上端面
３１２９  上端面
３２０１  内側貫通孔
３２０２  内側スナップ嵌合フランジ
３２１１  外側側壁
３２１２  封止接続溝
３２４１  スライドイン領域
３２４２  スライド領域
３２４３  スナップ嵌合領域
３２４４  スナップ嵌合面
３２５１  外側側壁
３２５２  位置合わせ矢印マーク
３３０１  一端
３３０２  他端
３３０３  内側貫通孔
３４０１  一端、端部
３４０２  他端、端部
３４０３  中間部分
３４０４  内側貫通孔
３４１１  外側側壁
３４１２  制限バンプ
３４１３  制限フランジ
３４１４  挿入スロット
３４２１  ゴム部分
３４２２  金属部分
３４２３  制限溝
３４３１  第１の制限面
３４５１  制限ブロック
３４５２  第１の位置決め孔
３９１１  外側側壁
３９１２  浅溝
３９１３  停止平面
３９２１  外側側壁
３９２２  指示矢印マーク
３９２３  浅溝
３９２４  第２の制限面
３９３１  エッジカット平面
３９３２  浅溝
３１１１０  位置決めブロック
３１１１１  当接面
３１１１２  位置決め平面
３１１１３  締結端面
３１１１４  第２の位置決め孔
３１２１０  保護突起
【図１】
2021512345.tif 000003
【図２】
2021512345.tif 000004
【図３】
2021512345.tif 000005
【図４】
2021512345.tif 000006
【図５】
2021512345.tif 000007
【図６】
2021512345.tif 000008
【図７】
2021512345.tif 000009
【図８】
2021512345.tif 000010
【図９Ａ】
2021512345.tif 000011
【図９Ｂ】
2021512345.tif 000012
【図１０】
2021512345.tif 000013
【図１１】
2021512345.tif 000014
【図１２】
2021512345.tif 000015
【図１３】
2021512345.tif 000016
【図１４】
2021512345.tif 000017
【図１５】
2021512345.tif 000018
【図１６】
2021512345.tif 000019
【図１７】
2021512345.tif 000020
【図１８】
2021512345.tif 000021
【図１９】
2021512345.tif 000022
【図２０】
2021512345.tif 000023
【手続補正書】
【提出日】令和2年2月28日(2020.2.28)
【手続補正１】
【補正対象書類名】明細書
【補正対象項目名】０１０７
【補正方法】変更
【補正の内容】
【０１０７】
接続片３１は、メインシャフト３４のヘッドエンド３４１に固定接続され、貫通孔３４４に部分的に収容される。光ケーブル２は、貫通孔３４４内に延在し、接続片３１に接続されている。本願のこの実施形態において、「固定接続」という用語は、２つの組み立てられた構成要素間の相対的な位置関係が固定され、２つの構成要素間の接続が取り外し可能な接続または取り外し不可能な接続であってもよいことを示す。具体的には、接続片３１の接続ベース３１１の一端が貫通孔３４４に挿入され、１つ以上の接続端子３１２が接続ベース３１１の他端に締結される。接続ベース３１１の制限平面３１１６は、メインシャフト３４の上端面（すなわち、ヘッドエンド３４１の、テールエンド３４２から離れた上端面）に当接する。この場合、接続片３１とメインシャフト３４とは、互いに光ファイバコネクタ３の軸方向に位置している。図６を参照すると、接続片３１の締結部分３１１１の第２の位置決め孔３１１１４は、メインシャフト３４のラグ３４５の第１の位置決め孔３４５２と整列する。ボルト３５０が、第１の位置決め孔３４５２および第２の位置決め孔３１１１４に挿入されてもよく、これにより、接続片３１とメインシャフト３４とが、光ファイバコネクタ３の軸方向および円周方向（光ファイバコネクタ３の軸方向に直交し、かつその周りの方向）に互いに位置するようになっている。
【手続補正２】
【補正対象書類名】明細書
【補正対象項目名】０１０８
【補正方法】変更
【補正の内容】
【０１０８】
組み立て中、接続片３１の接続ベース３１１上の挿入ブロック３１１５（図９Ａおよび図９Ｂを参照）は、メインシャフト３４のヘッドエンド３４１上の挿入スロット３４１４（図７を参照）に挿入される。挿入ブロック３１１５が挿入スロット３４１４に嵌合されるので、メインシャフト３４と接続片３１とが光ファイバコネクタ３の円周方向に互いに位置するようになる。
【手続補正３】
【補正対象書類名】明細書
【補正対象項目名】０１２７
【補正方法】変更
【補正の内容】
【０１２７】
任意選択で、防塵ロックスロット３２４がダストキャップ３２の端部に配置される。ダストキャップ３２の端部は接続部分３９２内に延在することができ、防塵ロックスロット３２４はロック突起３９４にスナップ嵌合される。具体的には、防塵ロックスロット３２４は、挿入部分３２１の外側側壁３２１１に配置されている。防塵ロックスロット３２４は、挿入部分３２１の円周方向に第３の角度で延在する。第３の角度は９０°以下であってもよい。挿入部分３２１の外側側壁３２１１は円筒面である。挿入部分３２１の円周方向とは、挿入部分３２１の外側側壁３２１１の中心軸に垂直かつその周りの方向である。第３の角度は、防塵ロックスロット３２４の中心角である。第３の角度は、３０°、４５°、６０°、７５°、または９０°など、３０°〜９０°の角度であってもよい。防塵ロックスロット３２４は、連続的に接続されたスライドイン領域３２４１、スライド領域３２４２、およびスナップ嵌合領域３２４３を含む。スライド領域３２４２およびスナップ嵌合領域３２４３は、挿入部分３２１の円周方向に延在する。スライドイン領域３２４１は、スライド領域３２４１を挿入部分３２１の端面に接続する。スライドイン領域３２４２とは反対側に向いたスナップ嵌合面３２４４が、スナップ嵌合領域３２４３に配置されている。例えば、スライド領域３２４２からスナップ嵌合領域３２４３への方向はスライドイン方向であり、スナップ嵌合面３２４４の向きはスライドイン方向と反対である。
【手続補正４】
【補正対象書類名】明細書
【補正対象項目名】０１４４
【補正方法】変更
【補正の内容】
【０１４４】
光ファイバコネクタ３の金属圧着リング３３０は、封止スリーブ３４０に位置している。金属圧着リング３３０は、中空の円筒である。金属圧着リング３３０の一端３３０１は、メインシャフト３４のテールエンド３４２の金属部分３４２２の外側にスリーブが付けられている。金属圧着リング３３０の他端３３０２は、光ケーブル２の外側にスリーブが付けられるように構成され、金属圧着リング３３０の端部３３０１は、光ケーブル２のアラミド糸２２を金属部分３４２２にしっかりと押圧することができる。
【国際調査報告】
2021512345.tif 000024
2021512345.tif 000025
2021512345.tif 000026
2021512345.tif 000027